(57)【要約】  胸骨圧迫の訓練に際して、圧迫位置を高度に検出することができる、新規な構造の胸骨圧迫訓練用人形を提供すること。  胸骨圧迫の訓練に際して訓練者による圧迫の対象となる胴部１４を備えた胸骨圧迫訓練用人形１０であって、胸骨圧迫時に胴部１４に作用する圧力の分布を検出する面圧分布センサ２４が、弾性支持体２０によって弾性支持されて胴部１４の前胸部に配されていると共に、人体の前胸部の表面を模したカバー体５４が面圧分布センサ２４の前胸部側の表面を覆って設けられている。
2020075212.tif 000002
【特許請求の範囲】
【請求項１】
胸骨圧迫の訓練に際して訓練者による圧迫の対象となる胴部を備えた胸骨圧迫訓練用人形であって、
胸骨圧迫時に前記胴部に作用する圧力の分布を検出する面圧分布センサが、弾性支持体によって弾性支持されて該胴部の前胸部に配されていると共に、
人体の前胸部の表面を模したカバー体が該面圧分布センサの前胸部側の表面を覆って設けられていることを特徴とする胸骨圧迫訓練用人形。
【請求項２】
前記面圧分布センサが可撓性のシート状とされている請求項１に記載の胸骨圧迫訓練用人形。
【請求項３】
前記面圧分布センサは、互いに交差対向方向に延びる複数の第一の電極層と複数の第二の電極層が誘電体層の表裏各一方の面に重ね合わされた構造を有しており、それら第一の電極層と第二の電極層の各交差対向部分における対向距離の変化に伴う静電容量の変化に基づいて圧力を検出する静電容量型センサとされている請求項２に記載の胸骨圧迫訓練用人形。
【請求項４】
前記面圧分布センサが適正な圧迫領域を備えていると共に、該適正な圧迫領域の周囲に１．７倍以上の面積の検出可能領域を備えている請求項２又は３に記載の胸骨圧迫訓練用人形。
【請求項５】
前記面圧分布センサが成人の胸骨体下半分の平均面積以上の面積を有する圧迫検出領域を備えている請求項２〜４の何れか一項に記載の胸骨圧迫訓練用人形。
【請求項６】
前記カバー体が前記胴部の前胸部側の略全面を覆って設けられている請求項１〜５の何れか一項に記載の胸骨圧迫訓練用人形。
【請求項７】
前記弾性支持体と前記面圧分布センサの間には硬質の支持部材が配設されており、該面圧分布センサが該支持部材に重ね合わされて支持されている請求項１〜６の何れか一項に記載の胸骨圧迫訓練用人形。
【請求項８】
前記面圧分布センサが前記支持部材に一体的に設けられている請求項７に記載の胸骨圧迫訓練用人形。
【請求項９】
前記面圧分布センサが前記カバー体に一体的に設けられている請求項１〜８の何れか一項に記載の胸骨圧迫訓練用人形。
【請求項１０】
前記面圧分布センサを前記胴部に対して面方向で位置決めする位置決め手段が設けられている請求項１〜９の何れか一項に記載の胸骨圧迫訓練用人形。
【請求項１１】
前記面圧分布センサの検出結果に基づく情報を表示する表示装置が接続されている請求項１〜１０の何れか一項に記載の胸骨圧迫訓練用人形。
【請求項１２】
前記面圧分布センサと前記カバー体が接触状態で重ね合わされている請求項１〜１１の何れか一項に記載の胸骨圧迫訓練用人形。
【発明の詳細な説明】
【技術分野】
【０００１】
本発明は、胸骨圧迫によって胸部に作用する圧力の分布を検出する胸骨圧迫訓練用人形に関するものである。
【背景技術】
【０００２】
従来から、心停止時の救命処置の一つとして、胸骨圧迫による心肺蘇生術（ＣａｒｄｉｏＰｕｌｍｏｎａｒｙ  Ｒｅｓｕｓｃｉｔａｔｉｏｎ；ＣＰＲ）が知られている。胸骨圧迫による心肺蘇生術は、一般的に知られているように、救命者が、心停止した被救命者の胸部を断続的に圧迫して心臓の拍動を疑似的に生ぜしめる胸骨圧迫を行うことによって、血液の循環による脳などへの酸素供給を維持すると共に、心拍の再開を促すものである。【０００３】
ところで、胸骨圧迫による心肺蘇生術では、圧迫時の胸部の押込み深さや単位時間当たりの圧迫回数、胸部圧迫の合間での十分な胸部解放（リコイル）、胸部圧迫時間の割合（デューティサイクル）などが適切であることが要求されることから、人体を模した胴部を備える胸骨圧迫訓練用人形によって、適切な胸骨圧迫の訓練を行うことが重要である。胸骨圧迫訓練用人形は、例えば、特開平８−１９０３４０号公報（特許文献１）に示された蘇生法教育人体モデルのように、人体の胸部に相当する胸板（９）がスプリング（１７）で弾性支持されており、胸骨圧迫によって胸板が背部側へ押し込まれるようになっている。さらに、胸板がロードセル（６）に接続されており、胸板に及ぼされた圧迫力の大きさがロードセルによって検出されるようになっている。【０００４】
しかしながら、特許文献１の構造では、胸骨圧迫による胸板の押込み深さをロードセルによって検出できる一方、圧迫位置が適正であるかどうかは、ロードセルでは判定することができない。なお、特許文献１には、圧迫位置を判定するためのタクトスイッチ（２４）を設けた構造も開示されているが、圧迫位置が正しいか否かしか分からず、圧迫位置を特定することができないし、ロードセルとは別にタクトスイッチを設ける必要があることから、構造が複雑になってしまう。しかも、タクトスイッチを押圧する突部（９ｂ）が硬質の胸板に設けられていることから、圧迫位置の適否を精度よく判定することが難しく、適正な圧迫位置から外れた位置を圧迫した場合にも、タクトスイッチが押し込まれて、圧迫位置が適正であると判定されるおそれがあった。
【先行技術文献】
【特許文献】
【０００５】
【特許文献１】特開平８−１９０３４０号公報
【発明の概要】
【発明が解決しようとする課題】
【０００６】
本発明は、上述の事情を背景に為されたものであって、その解決課題は、胸骨圧迫の訓練に際して、圧迫位置を高度に検出することができる、新規な構造の胸骨圧迫訓練用人形を提供することにある。
【課題を解決するための手段】
【０００７】
本出願人は、特開２０１６−１２３８４４号公報において、胸骨圧迫の訓練において圧迫位置などを検出することができる心肺蘇生術補助装置を提案している。この心肺蘇生術補助装置によれば、柔軟な静電容量型の面圧分布センサの検出結果に基づいて、圧迫位置を精度よく検出することが可能とされている。ところで、上記心肺蘇生術補助装置は、心肺蘇生術を補助するという用途もあることから、例えば、胸部表面に重ね合わされた心肺蘇生術補助装置の感圧部を圧迫すれば、胸部における適正な領域を圧迫することができるようになっており、心肺蘇生術補助装置の位置自体が胸骨圧迫の適正な位置を指し示すようになっている。しかしながら、例えば、人体の構造から適切な圧迫位置を特定する技術の向上を目的とする訓練の場合には、圧迫位置を示すように胸部表面に露出して配される心肺蘇生術補助装置を使用すると、訓練の効果を効率的には得難いことが考えられた。【０００８】
以下、このような課題を解決するために為された本発明の態様を記載する。なお、以下に記載の各態様において採用される構成要素は、可能な限り任意の組み合わせで採用可能である。【０００９】
すなわち、本発明の第一の態様は、胸骨圧迫の訓練に際して訓練者による圧迫の対象となる胴部を備えた胸骨圧迫訓練用人形であって、胸骨圧迫時に前記胴部に作用する圧力の分布を検出する面圧分布センサが、弾性支持体によって弾性支持されて該胴部の前胸部に配されていると共に、人体の前胸部の表面を模したカバー体が該面圧分布センサの前胸部側の表面を覆って設けられていることを、特徴とする。【００１０】
このような第一の態様に従う構造とされた胸骨圧迫訓練用人形によれば、胸骨圧迫の深さやリズム、リコイル、デューティサイクル、圧迫位置などの各種パラメータを、面圧分布センサの検出結果に基づいて把握することができることから、胸骨圧迫の効率的な訓練が実現される。【００１１】
さらに、面圧分布センサがカバー体によって覆われていると共に、カバー体の表面が人体の前胸部の表面を模していることから、訓練者が面圧分布センサの位置によって胸骨圧迫の正しい圧迫領域を把握するのを防いで、訓練者は人体の構造に基づいて胸骨圧迫の適正な領域を特定する訓練を有効に実施することができる。【００１２】
本発明の第二の態様は、第一の態様に記載された胸骨圧迫訓練用人形において、前記面圧分布センサが可撓性のシート状とされているものである。【００１３】
第二の態様によれば、面圧分布センサがシート状とされていることで、狭いスペースに配設することができる。しかも、面圧分布センサが可撓性を有していることにより、例えば、面圧分布センサがカバー体の直下に配されていても、訓練者が面圧分布センサの有無による触感の違いを感じ取り難く、適正な胸骨圧迫の位置が面圧分布センサの配設位置によって特定されるのを、より効果的に防ぐことができる。【００１４】
本発明の第三の態様は、第二の態様に記載された胸骨圧迫訓練用人形において、前記面圧分布センサは、互いに交差対向方向に延びる複数の第一の電極層と複数の第二の電極層が誘電体層の表裏各一方の面に重ね合わされた構造を有しており、それら第一の電極層と第二の電極層の各交差対向部分における対向距離の変化に伴う静電容量の変化に基づいて圧力を検出する静電容量型センサとされているものである。【００１５】
第三の態様によれば、面圧分布センサが静電容量型センサとされていることによって、胸骨圧迫によって及ぼされる圧力を精度よく検出することができる。しかも、第一の電極層と第二の電極層の交差対向部分を、少ない電極層の数でより多く構成することができる。【００１６】
本発明の第四の態様は、第二又は第三の態様に記載された胸骨圧迫訓練用人形において、前記面圧分布センサが適正な圧迫領域を備えていると共に、該適正な圧迫領域の周囲に１．７倍以上の面積の検出可能領域を備えているものである。【００１７】
第四の態様によれば、圧迫位置が適正な圧迫領域にあるか否かだけでなく、適正な圧迫領域から外れた位置を圧迫した場合にも、十分な面積を有する検出可能領域によって圧力を検出することができる。従って、適正な圧迫領域から外れた位置を圧迫した場合にも、圧迫の深さなどの各種パラメータを得ることができると共に、圧迫位置が適正な圧迫領域から外れている程度（距離）を把握することもできる。【００１８】
本発明の第五の態様は、第二〜第四の何れか１つの態様に記載された胸骨圧迫訓練用人形において、前記面圧分布センサが成人の胸骨体下半分の平均面積以上の面積を有する圧迫検出領域を備えているものである。【００１９】
第五の態様によれば、圧迫検出領域が胸骨圧迫の適正な圧迫領域よりも広い面積で設定されて、圧迫位置が適正な圧迫領域にあるか否かだけでなく、適正な圧迫領域を外れた位置を圧迫した場合にも、圧力を有効に検出することができる。従って、適正な圧迫領域から外れた位置を圧迫した場合にも、圧迫の深さなどの各種パラメータを得ることができると共に、圧迫位置が適正な圧迫領域から外れている程度（距離）を把握することもできる。【００２０】
本発明の第六の態様は、第一〜第五の何れか１つの態様に記載された胸骨圧迫訓練用人形において、前記カバー体が前記胴部の前胸部側の略全面を覆って設けられているものである。【００２１】
第六の態様によれば、例えば胴部の前胸部側の略全体が連続したカバー体で覆われることにより、適正な圧迫領域がカバー体の切れ目などによって特定されてしまうのを防ぐことができる。【００２２】
本発明の第七の態様は、第一〜第六の何れか１つの態様に記載された胸骨圧迫訓練用人形において、前記弾性支持体と前記面圧分布センサの間には硬質の支持部材が配設されており、該面圧分布センサが該支持部材に重ね合わされて支持されているものである。【００２３】
第七の態様によれば、面圧分布センサが硬質の支持部材に重ね合わされていることにより、面圧分布センサによる圧力の検出精度の向上が図られる。また、胸骨圧迫に際して、支持部材が人体の胸郭の前部を模すように機能することから、実際の人体に胸骨圧迫を行う場合に近い手応えを訓練者に与えることができる。【００２４】
本発明の第八の態様は、第七の態様に記載された胸骨圧迫訓練用人形において、前記面圧分布センサが前記支持部材に一体的に設けられているものである。【００２５】
第八の態様によれば、面圧分布センサが支持部材に対して位置決めされた状態で形成されることから、接着などの特別な位置決め構造が不要になる。しかも、面圧分布センサを硬質の支持部材と一体の部品として取り扱うことができることから、面圧分布センサの管理や取り回しが容易になると共に、胴部への組付け作業も簡単になる。【００２６】
本発明の第九の態様は、第一〜第八の何れか１つの態様に記載された胸骨圧迫訓練用人形において、前記面圧分布センサが前記カバー体に一体的に設けられているものである。【００２７】
第九の態様によれば、面圧分布センサがカバー体に対して位置決めされた状態で形成されることから、接着などの特別な位置決め構造が不要になる。しかも、面圧分布センサをカバー体と一体の部品として取り扱うことができることから、面圧分布センサの管理や取り回しが容易になると共に、胴部への組付け作業も簡単になる。【００２８】
本発明の第十の態様は、第一〜第九の何れか１つの態様に記載された胸骨圧迫訓練用人形において、前記面圧分布センサを前記胴部に対して面方向で位置決めする位置決め手段が設けられているものである。【００２９】
第十の態様によれば、面圧分布センサが胴部に対して正しい位置に保持することができる。【００３０】
本発明の第十一の態様は、第一〜第十の何れか１つの態様に記載された胸骨圧迫訓練用人形において、前記面圧分布センサの検出結果に基づく情報を表示する表示装置が接続されているものである。【００３１】
第十一の態様によれば、面圧分布センサの検出結果に基づく訓練結果を、訓練後に或いはリアルタイムで訓練者などに分かり易く把握させることができる。【００３２】
本発明の第十二の態様は、第一〜第十一の何れか１つの態様に記載された胸骨圧迫訓練用人形において、前記面圧分布センサと前記カバー体が接触状態で重ね合わされているものである。【００３３】
第十二の態様によれば、面圧分布センサとカバー体が間に空間を介することなく接していることにより、胸骨圧迫に際して圧力の検出精度の向上が図られて、特に圧迫深さが小さい場合にも圧迫を有効に検出することができる。
【発明の効果】
【００３４】
本発明によれば、胸骨圧迫の訓練に際して、圧迫の深さなどだけでなく、圧迫位置を高度に検出することができる。
【図面の簡単な説明】
【００３５】
【図１】本発明の第一の実施形態としての胸骨圧迫訓練用人形を示す平面図。
【図２】図１のＩＩ−ＩＩ断面図。
【図３】図１の胸骨圧迫訓練用人形においてカバー体を外した状態を示す平面図。
【図４】図１に示す胸骨圧迫訓練用人形を構成する面圧分布センサの平面図。
【図５】図４のＶ−Ｖ断面図。
【図６】図１に示す胸骨圧迫訓練用人形を使用した訓練における面圧分布および圧力の作用中心位置の表示の一例を示す図。
【図７】本発明の別の一実施形態として胸骨圧迫訓練用人形を示す断面図。
【図８】本発明のまた別の一実施形態として胸骨圧迫訓練用人形を示す分解斜視図。
【発明を実施するための形態】
【００３６】
以下、本発明の実施形態について、図面を参照しつつ説明する。
【００３７】
図１，２には、本発明の第一の実施形態としての胸骨圧迫訓練用人形１０（以下、訓練用人形１０）が示されている。訓練用人形１０は、胸骨圧迫による心肺蘇生術の訓練において用いられるものであって、全体として人体の腕部を除いた上半身を模しており、頭部１２と胴部１４を備えている。以下の説明において、上下方向とは、原則として図２中の上下方向を言う。
【００３８】
より詳細には、胴部１４は、訓練用人形１０において訓練者による圧迫の対象となる部分であって、硬質の合成樹脂や金属などで形成されて、図２，３に示すように、内部に収容空間１６を備えた中空構造とされていると共に、前胸部側となる上側（図２中の上側）に形成された開口１８を通じて収容空間１６が外部に開放されている。なお、本実施形態では、胴部１４の前面（上面）が略平面とされているが、例えば、人体の胴部前面の形状により近づくように、全体として上方に向けて凸となる凸形湾曲形状の断面を有する湾曲面とすることもできる。
【００３９】
また、胴部１４の収容空間１６には、弾性支持体２０が配設されている。弾性支持体２０は、ゴムや合成樹脂の発泡体とされて、上下方向に弾性変形可能とされており、本実施形態では、例えば、発泡ウレタンや発泡ポリエチレンなどで形成されている。なお、弾性支持体２０は、下面が胴部１４の背側の内面に接触状態で重ね合わされていると共に、上部が胴部１４の開口１８から上方へ突出している。
【００４０】
また、弾性支持体２０の上面には、支持部材２２が重ね合わされている。支持部材２２は、硬質の合成樹脂などで形成された板状の部材であって、本実施形態では平板状とされているが、例えば、人体の肋骨を模した凹凸が形成されていてもよい。そして、支持部材２２と胴部１４の背側を構成する下部との間に弾性支持体２０が配されており、支持部材２２が弾性支持体２０を介して胴部１４によって支持されている。これにより、支持部材２２は、弾性支持体２０の弾性変形によって胴部１４に対する上下方向の相対変位を許容されている。なお、支持部材２２は、全体が胴部１４の上側の開口１８によって外部に露出している。
【００４１】
また、支持部材２２の上面には、面圧分布センサ２４が重ね合わされている。面圧分布センサ２４は、可撓性を有する薄肉シート状とされており、図４，５に示すように、誘電体層２６の一方の面に第一の電極層シート２８が重ね合わされていると共に、誘電体層２６の他方の面に第二の電極層シート３０が重ね合わされた構造を、有している。なお、図２，５では、見易さのために、面圧分布センサ２４の厚さを誇張して厚く示す。
【００４２】
誘電体層２６は、ゴムや樹脂などの電気絶縁性のエラストマーで形成されて、弾性乃至は可撓性を有するシートとされていると共に、伸縮変形可能とされて、特に厚さ方向で容易に変形可能とされている。誘電体層２６の形成材料としては、例えば、シリコーンゴム、アクリロニトリル−ブタジエン共重合ゴム、アクリルゴム、エピクロロヒドリンゴム、クロロスルホン化ポリエチレン、塩素化ポリエチレン、ウレタンゴム、ポリエチレン樹脂、ポリプロピレン樹脂、ポリウレタン樹脂、ポリスチレン樹脂、ポリ塩化ビニル−ポリ塩化ビニリデン共重合体、エチレン−酢酸共重合体などが、好適に採用される。さらに、誘電体層２６は発泡体であっても良く、必要な誘電率と柔軟性が確保されれば、その発泡体は、必ずしも独立気泡によって均質な相を呈するものに限定されず、例えば連続気泡が形成されるなどして不均一な相を呈していても良い。なお、誘電体層２６の厚さや形成材料などは、後述する圧力検出部３６において求められる比誘電率や柔軟性に応じて適宜に設定される。
【００４３】
一方、第一の電極層シート２８には、図４中の上下方向に延びる第一の電極層としての第一の電極Ｘが設けられていると共に、第二の電極層シート３０には、図４中の左右方向に延びる第二の電極層としての第二の電極Ｙが設けられている。第一の電極Ｘと第二の電極Ｙは、それぞれ薄肉の長手帯状とされて、互いに略直交方向に延びるように設けられている。本実施形態では、２５本の第一の電極Ｘが、ｘ軸（図４中の左右方向に延びる座標軸）の長さ方向に並んで互いに平行に配されていることから、それら第一の電極Ｘを図４中の左側から順に０１Ｘ〜２５Ｘと称する。同様に、本実施形態では、２８本の第二の電極Ｙが、ｙ軸（図４中の上下方向に延びる座標軸）の長さ方向に並んで互いに平行に配されていることから、それら第二の電極Ｙを図４中の上側から順に０１Ｙ〜２８Ｙと称する。
【００４４】
さらに、第一の電極Ｘと第二の電極Ｙは、例えば、ゴムや樹脂などのエラストマーに導電性フィラー（例えばカーボンブラックや銀粉などの金属粉）を添加した柔軟な導電性エラストマーによって形成されて、容易に変形可能とされている。なお、第一の電極Ｘと第二の電極Ｙの形成材料であるエラストマーとしては、例えば、シリコーンゴム、エチレン−プロピレン共重合ゴム、天然ゴム、スチレン−ブタジエン共重合ゴム、アクリロニトリル−ブタジエン共重合ゴム、アクリルゴム、エピクロロヒドリンゴム、クロロスルホン化ポリエチレン、塩素化ポリエチレン、ウレタンゴム、ポリエステル樹脂、ポリエーテルウレタン樹脂、ポリカーボネートウレタン樹脂、塩化ビニル−酢酸ビニル共重合体、フェノール樹脂、アクリル樹脂、ポリアミドイミド樹脂、ポリアミド樹脂、ニトロセルロース、変性セルロース類などが、好適に採用される。
【００４５】
なお、第一，第二の電極層シート２８，３０は、例えば、第一の電極０１Ｘ〜２５Ｘと第二の電極０１Ｙ〜２８Ｙと同様のエラストマーによって形成される。本実施形態の第一，第二の電極層シート２８，３０は、面圧分布センサ２４の構造を理解し易くするために、透明乃至は半透明とされており、誘電体層２６と第一の電極０１Ｘ〜２５Ｘと第二の電極０１Ｙ〜２８Ｙとが図示されているが、第一，第二の電極層シート２８，３０は、必ずしも透明乃至は半透明に限定されない。
【００４６】
また、第一，第二の電極層シート２８，３０は、第一，第二の電極Ｘ，Ｙの配設領域よりも外側まで広がっており、第一，第二の電極層シート２８，３０の第一，第二の電極Ｘ，Ｙよりも外側には、第一の配線３２と第二の配線３４が導電性材料によって形成されている。そして、第一の配線３２が第一の電極Ｘと一体的に連続して、第一の電極Ｘと第一の配線３２が電気的につながっていると共に、第二の配線３４が第二の電極Ｙと一体的に連続して、第二の電極Ｙと第二の配線３４が電気的につながっている。なお、第一，第二の電極Ｘ，Ｙと第一，第二の配線３２，３４は、例えば、第一，第二の電極層シート２８，３０の表面に導電性インクによってプリントされた配線パターンとして得ることができる。また、第一の配線３２は、２５本が設けられて、第一の電極０１Ｘ〜２５Ｘの各一つにつながっていると共に、第二の配線３４は、２８本が設けられて、第二の電極０１Ｙ〜２８Ｙの各一つにつながっている。
【００４７】
そして、第一の電極層シート２８が誘電体層２６の一方の面に重ね合わされることにより、第一の電極０１Ｘ〜２５Ｘが誘電体層２６と第一の電極層シート２８の間に配されて、誘電体層２６の一方の面に第一の電極０１Ｘ〜２５Ｘが重ね合わされている。一方、第二の電極層シート３０が誘電体層２６の他方の面に重ね合わされることにより、第二の電極０１Ｙ〜２８Ｙが誘電体層２６と第二の電極層シート３０の間に配されており、誘電体層２６の他方の面に第二の電極０１Ｙ〜２８Ｙが重ね合わされている。なお、第一，第二の電極層シート２８，３０は、第一の電極０１Ｘ〜２５Ｘと第二の電極０１Ｙ〜２８Ｙの配設領域および後述する第一，第二の配線３２，３４の形成領域を外れた外周部分において、溶着や接着、両面テープによる固定などによって相互に固定されている。
【００４８】
これにより、第一の電極０１Ｘ〜２５Ｘと第二の電極０１Ｙ〜２８Ｙは、誘電体層２６を挟んで相互に略直交するように交差対向して配されており、第一の電極０１Ｘ〜２５Ｘと第二の電極０１Ｙ〜２８Ｙの交差対向部分には、それぞれコンデンサが構成されている。このコンデンサによって圧力検出部３６が構成されて、圧力検出部３６の静電容量の変化に基づいて、圧力検出部３６への作用圧力を検出することが可能とされている。すなわち、圧力検出部３６に対して下向き（図５中の下向き）の圧力が作用すると、圧力が作用した圧力検出部３６において、誘電体層２６が圧縮変形して、圧力検出部３６を構成する第一の電極Ｘと第二の電極Ｙとの対向間距離が短くなるので、当該圧力検出部３６において静電容量が変化する。この各圧力検出部３６における静電容量の変化を、電気的な制御装置からなるコントローラ４４（後述）を用いて検知することで、各圧力検出部３６に及ぼされた圧力を検出することが可能とされている。
【００４９】
したがって、第一の電極０１Ｘ〜２５Ｘと第二の電極０１Ｙ〜２８Ｙの７００個の交差対向部分（圧力検出部３６）が、それぞれ静電容量型の圧力検出素子（セル）として機能しており、それら７００個の圧力検出部３６が２次元的に並んで配されることにより、面圧分布を検出する静電容量型の面圧分布センサ２４が構成されている。なお、図４では、分かり易さのために、圧力検出部３６に斜線のハッチングを付した。
【００５０】
また、７００個の圧力検出部３６が配された感圧部の面積は、人の掌における胸部圧迫部分の平均的な面積以上とされている。すなわち、人の掌における実質的な胸部圧迫部分である母指球（親指の付け根部分にある掌の盛り上がり）の平均的な面積（例えば９００ｍｍ2 程度）以上とされており、より好適には、人の掌における手根部分の平均的な面積以上とされている。これにより、圧迫位置のずれに十分に対応することができる。なお、より好適には、人の掌全体の平均的な面積以上とされることによって、掌の適当な部分で押圧できているかを確認することも可能となる。
【００５１】
本実施形態では、図３中において太い実線で囲んで示した領域が適正な圧迫領域３８とされており、適正な圧迫領域３８に４２個の圧力検出部３６が配されて、適正な圧迫領域３８の面積が略９００ｍｍ2 とされている。また、適正な圧迫領域３８の周囲には、適正な圧迫領域３８に該当しない領域の圧力検出部３６で構成された検出可能領域４０が広がっており、この検出可能領域４０の面積が、好適には、適正な圧迫領域３８の面積の１．７倍以上、より好適には３倍以上とされている。これにより、本実施形態では、適正な圧迫領域３８と検出可能領域４０を合わせた圧迫検出領域４２が、人の掌全体の平均的な面積以上とされていると共に、成人の胸骨中部（胸骨体）の下半分の平均面積以上とされている。なお、成人の胸骨体下半分の平均面積は、特定の条件に基づいて設定される成人の集合における胸骨体下半分の平均面積であって、例えば、身長、体重、年齢、性別、人種などの少なくとも１つの条件で特定される成人の集合について、胸骨体下半分の平均面積を測定して或いは体格などから類推して求めることができる。また、適正な圧迫領域３８は、ＣＰＲのガイドラインなどに基づいて訓練用人形１０の前胸部における適当な位置に設定される。一般的には、例えば、後述する剣状突起５８に対して指２本分よりも更に上側など、前胸部の中央部分に設定される。
【００５２】
また、第二の電極層シート３０に絶縁体層を重ね合わせて、検出結果に悪影響を及ぼすノイズを低減することもできる。この絶縁体層は、例えば、可撓性および伸縮性に加えて電気絶縁性を有する軟質の合成樹脂やゴム弾性体などで形成されて、シート状乃至は板状とされており、接地されたノイズガード電極を備えていることが望ましい。これによれば、訓練者の手の導電性が面圧分布センサ２４の検出結果に及ぼす影響を低減することができる。なお、ノイズガード電極を設ける場合には、第二の電極層シート３０との重ね合わせ間に電気絶縁性のスペーサー層を設けることが望ましい。これにより、第二の電極層シート３０とノイズガード電極の距離を十分に大きく設定して、第二の電極層シート３０とノイズガード電極を電極とするコンデンサの静電容量が検出結果に及ぼす影響を低減することができる。
【００５３】
また、第一の電極Ｘに接続された第一の配線３２と第二の電極Ｙに接続された第二の配線３４は、コントローラ４４と電気的に接続されている。コントローラ４４は、例えば、図３に示すように、作動電圧給電用の電源回路４６と、静電容量検知用の検出回路４８とを備えており、コンピュータ５０に接続されている。電源回路４６は、第一の電極０１Ｘ〜２５Ｘと第二の電極０１Ｙ〜２８Ｙに対する給電を選択的に行うようになっており、コンピュータ５０の図示しない中央演算装置（ＣＰＵ）による制御下で、コンデンサを構成する７００箇所の各交差部分に対して、計測用電圧として周期的な波形電圧を走査的に印加する。
【００５４】
そして、かかる電圧作用下で検出される静電容量の検出信号が、順次に検出回路４８で検出され、その検出値がコンピュータ５０の図示しないＲＡＭ（Ｒａｎｄｏｍ  Ａｃｃｅｓｓ  Ｍｅｍｏｒｙ）に記憶される。なお、検出回路４８による静電容量の検出は、例えば電流値から求められるインピーダンスを用いて静電容量値を求めることによって行われる。
【００５５】
また、コンピュータ５０の図示しないＲＯＭ（Ｒｅａｄ  Ｏｎｌｙ  Ｍｅｍｏｒｙ）には、第一の電極０１Ｘ〜２５Ｘと第二の電極０１Ｙ〜２８Ｙとの各交差対向部分（圧力検出部３６）に構成されるコンデンサの特性データが記憶されており、この特性データに基づいて、各圧力検出部３６に及ぼされた外力である圧迫力が、コンピュータ５０のＣＰＵによって静電容量の検出値に基づいて算出される。従って、７００個の圧力検出部３６における静電容量をそれぞれスキャンすることにより、各圧力検出部３６に作用する圧力が各別に検出可能とされていると共に、全体として二次元的な圧力分布が検出可能とされている。
【００５６】
なお、好適には、第一，第二の配線３２，３４がコントローラ４４に対して着脱可能に接続されていると共に、コントローラ４４がコンピュータ５０に対して着脱可能に接続されている。
【００５７】
かくの如き構造とされた面圧分布センサ２４は、支持部材２２の上面を覆うように重ね合わされて、支持部材２２に及ぼされる圧力を検出するようになっている。すなわち、図３に示すように、面圧分布センサ２４は、支持部材２２の上面の略全体を覆うように設けられており、本実施形態では、第二の電極２７Ｙ，２８Ｙを含んで構成された圧力検出部３６を除く６５０個の圧力検出部３６が、何れも支持部材２２上に配されている。このように、面圧分布センサ２４が支持部材２２の上面に重ね合わされることにより、面圧分布センサ２４は、弾性支持体２０によって間接的に支持されて、訓練用人形１０の前胸部に相当する位置に保持されている。換言すれば、支持部材２２は、弾性支持体２０と面圧分布センサ２４の間に配されており、面圧分布センサ２４が支持部材２２に重ね合わされて支持されている。なお、図２に示すように、面圧分布センサ２４は、第二の配線３４が形成された第二の電極層シート３０の右端部分が、下方へ折り曲げられている。
【００５８】
また、本実施形態では、面圧分布センサ２４が支持部材２２に対して両面テープ５２（図２参照）で固定されるなどして位置決めされており、これによって面圧分布センサ２４を胴部１４に対して面方向（図２における上下方向に対して直交する方向）で位置決めする位置決め手段が構成されている。このような位置決め手段を設けることにより、面圧分布センサ２４が胴部１４に対して正しい位置に保持されて、面圧分布センサ２４における適正な圧迫領域３８を、胴部１４の前胸部における適切な位置に配置することができる。なお、位置決め手段は、両面テープ５２による固定に限定されるものではなく、例えば、接着や機械的な係止、結束バンドによる固定など、各種の固定手段を採用することができる。
【００５９】
本実施形態では、上述のように、第二の電極２７Ｙ，２８Ｙを含んで構成された５０個の圧力検出部３６は、少なくとも一部が支持部材２２の上面から外れた位置に配されており、圧迫時に圧力が有効に作用する圧迫検出領域４２を構成しない。尤も、例えば、全ての圧力検出部３６が支持部材２２の上に配されて圧迫検出領域４２を構成するようにしてもよいし、より少ない圧力検出部３６だけが支持部材２２の上に配されて、圧迫検出領域４２がより少ない圧力検出部３６で構成されるようにしてもよい。
【００６０】
さらに、面圧分布センサ２４に接続されたコントローラ４４は、訓練用人形１０の収容空間１６に収容されており、上下方向の投影において支持部材２２から外れた位置に配されている。本実施形態では、訓練用人形１０の胴部１４において、頭部１２と反対側の端部に収容されている。尤も、コントローラ４４は、面圧分布センサ２４と接続されていれば、訓練用人形１０の外部に配されていてもよい。
【００６１】
また、面圧分布センサ２４が支持部材２２に重ね合わされた状態で、訓練用人形１０の胴部１４にカバー体５４が装着される。カバー体５４は、シート状とされており、可撓性と弾性を有するゴムや合成樹脂などのエラストマーで形成されている。さらに、より具体的には、カバー体５４の上面には、例えば、凹凸や印刷などによって、人体の前胸部の表面を模した表示が設けられており、本実施形態では、肋骨弓５６や剣状突起５８、鎖骨６０などが印刷されており、それら肋骨弓５６や剣状突起５８、鎖骨６０の位置に基づいて、訓練用人形１０の胸部において胸骨圧迫の適正な位置を特定することが可能とされている。なお、カバー体５４の上面に表示される前胸部表面の構造としては、上記した肋骨弓５６や剣状突起５８、鎖骨６０の他、乳頭なども採用され得る。
【００６２】
そして、カバー体５４は、外周端部に設けられた図示しない挿通孔に対して、胴部１４の側面に設けられた係止ピン６２が挿通されて、係止ピン６２の頭部が挿通孔の周縁部でカバー体５４に係止されることにより、胴部１４の前胸部側の表面（上面）を覆うように取り付けられる。これにより、図１，２に示すように、胴部１４に取り付けられた支持部材２２と面圧分布センサ２４の前胸部側がカバー体５４によって覆われて、外部から見えなくなっており、それら支持部材２２と面圧分布センサ２４の位置が外部から目視で特定されないようになっている。
【００６３】
特に本実施形態のカバー体５４は、胴部１４の前胸部側を略全体に亘って覆う構造とされていることから、カバー体５４の位置から支持部材２２と面圧分布センサ２４の配設位置を特定されることがなく、目視による支持部材２２と面圧分布センサ２４の配設位置の特定がより困難になっている。
【００６４】
さらに、胴部１４に装着されたカバー体５４は、面圧分布センサ２４に対して、上下方向で接触して配されており、特に、圧力検出部３６が配された感圧部が略全体に亘ってカバー体５４に接触状態で重ね合わされている。これにより、本実施形態の訓練用人形１０は、カバー体５４と面圧分布センサ２４と支持部材２２と弾性支持体２０と胴部１４の背部とが、間に空間を有することなく重なり合って配されている。
【００６５】
かくの如き構造とされた訓練用人形１０は、床やストレッチャーなどに図２中の上下方向が鉛直上下方向となる向きで設置された状態で使用されて、訓練者が訓練用人形１０に施す胸骨圧迫に対して、面圧分布センサ２４によって圧力を測定する。
【００６６】
また、訓練者が支持部材２２と面圧分布センサ２４を下向きに圧迫すると、支持部材２２と胴部１４の背部との間に配された弾性支持体２０が上下方向で圧縮されて、支持部材２２と面圧分布センサ２４が下方へ押し込まれる。これにより、訓練者は、弾性支持体２０の弾性に基づく抵抗（反発）を感じて、実際の人体に胸骨圧迫を施した場合に近い手応えを得ることができる。特に、面圧分布センサ２４が重ね合わされる硬質の支持部材２２が採用されていることにより、支持部材２２が人体の胸郭の前部を模すように機能して、弾性支持体２０の弾性変形に伴って上下に変位することから、人体への胸骨圧迫に近い手応えを訓練者に与えることができて、実際の救命蘇生法により近い訓練を実施することができる。
【００６７】
さらに、面圧分布センサ２４は、誘電体層２６が支持部材２２と訓練者の手との間で上下方向に圧縮されることから、誘電体層２６が圧縮された部分において第一の電極Ｘと第二の電極Ｙが上下方向で相互に接近する。これにより、第一の電極Ｘと第二の電極Ｙが接近した圧力検出部３６では、第一の電極Ｘと第二の電極Ｙの接近による静電容量の変化が生ぜしめられる。その結果、訓練者の胸骨圧迫によって訓練用人形１０に及ぼされた圧力の大きさと位置が、面圧分布センサ２４によって検出される。本実施形態の面圧分布センサ２４は、弾性支持体２０に直接的に支持されているのではなく、硬質の支持部材２２を介して支持されていることから、弾性支持体２０の局所的な変形による面圧分布センサ２４の曲げなどが生じ難く、入力に応じた静電容量の変化が安定して生ぜしめられる。
【００６８】
この面圧分布センサ２４の検出結果に基づいて、演算装置であるコンピュータ５０が、胸骨圧迫時の押込み深さ、リコイル時の押込み深さ、圧力の作用中心位置、胸骨圧迫のリズム、１サイクルにおける圧迫時間の割合（ｄｕｔｙ  ｃｙｃｌｅ）などを算出する。
【００６９】
そして、算出された上記の各データを表示装置としてのコンピュータ５０のモニタ６４に表示することにより、訓練者や訓練指導者などが、訓練の状況や効果などを、モニタ６４を見ることで把握することができる。これにより、面圧分布センサ２４の検出結果に基づく訓練結果を、訓練後に或いは訓練中にリアルタイムで、訓練者や訓練指導者などに分かり易く把握させることができる。なお、コンピュータ５０のモニタ６４に表示されるデータは、特に限定されるものではなく、上記の例示したデータの全て或いは一部を表示してもよいし、上記以外のデータを表示してもよい。具体的には、図６に示すように、圧力分布を色彩の違いで表示すると共に、圧力の作用中心位置を円などによって座標平面上に直接的に表示することも可能であるが、例えば、圧力の作用中心位置が適切であったか否かだけを文字や記号などで表示することも可能である。なお、図６では、正方形が横に２５個且つ縦に２８個並んで表示されており、それら正方形が面圧分布センサ２４における圧力検出部３６の各一つに対応している。また、図６の表示では、圧力分布は、圧力が大きくなるに従って赤に近い色彩で示されていると共に、圧力が小さくなるに従って青に近い色彩で示されており、圧力の作用中心位置を示す円よりも図中下側および左側において圧力が大きく作用している。
【００７０】
ここにおいて、訓練用人形１０では、胴部１４の前面がカバー体５４によって覆われていることから、訓練者が面圧分布センサ２４の配設位置を見ることで、胸骨圧迫の適正な位置が訓練者に把握されてしまうことを防止できる。それ故、訓練者は、胸骨圧迫を施す位置をカバー体５４の表面に設けられた人体の構造、即ち本実施形態では肋骨弓５６と剣状突起５８と鎖骨６０の各位置に基づいて特定する必要があり、実際の胸骨圧迫による蘇生法に即した訓練を行うことで、訓練効果の向上が図られる。特に、本実施形態では、カバー体５４が胴部１４の前面を略全体に亘って覆うように設けられていることから、訓練者がカバー体５４の位置によって胸骨圧迫の適正な位置を特定するのを防ぐこともできる。
【００７１】
また、胸骨圧迫によって及ぼされる圧力を検出するセンサが、面圧分布センサ２４とされている。これにより、胸骨圧迫によって及ぼされる圧力の大きさだけでなく、面圧分布や圧力の作用中心位置など、胸骨圧迫が施された位置も特定可能とされている。このような面圧分布センサ２４をカバー体５４と組み合わせて採用することにより、訓練者がカバー体５４に描かれた胸部前面の構造に基づいて特定した胸骨圧迫の位置が、適正な胸骨圧迫の位置に対して、一致しているか否か、どの程度ずれているか、どの方向にずれているかなどを、それぞれ把握することが可能とされている。従って、訓練用人形１０を用いて胸骨圧迫の訓練を行うことにより、人体の胸部前面の構造に基づいて胸骨圧迫の適正な位置を特定する技能の効率的な向上が図られる。
【００７２】
さらに、面圧分布センサ２４を採用することにより、圧迫位置と圧迫力の大きさを、１つのセンサによって検出することが可能とされており、それぞれ別のセンサを設ける場合に比して、構造の簡略化などが図られる。
【００７３】
なお、本実施形態では、面圧分布センサ２４とそれを支持する支持部材２２が、胴部１４における前胸部の略全体と腹部の一部とを構成する広い領域に設けられている。それ故、胸骨圧迫に対する知識が不十分な訓練者が、適正な位置から大きく外れた位置を圧迫した場合にも、圧力を有効に測定することができる。
【００７４】
また、カバー体５４は、支持部材２２上に位置する面圧分布センサ２４の圧迫検出領域４２の略全体に対して、空間を介することなく接した状態で重ね合わされていることから、カバー体５４の表面に入力された圧迫力が面圧分布センサ２４に効率的に伝達される。その結果、胸骨圧迫に際して圧力の検出精度の向上が図られて、特に圧迫深さが小さい場合にも圧迫を有効に検出することができる。
【００７５】
さらに、面圧分布センサ２４が可撓性の薄肉シート状とされていることから、狭いスペースに配設することができると共に、面圧分布センサ２４がカバー体５４に当接状態で重ね合わされていても、訓練者が面圧分布センサ２４の有無による触感の違いを感じ取り難く、適正な胸骨圧迫の位置が面圧分布センサ２４の配設位置によって特定されるのを、より効果的に防ぐことができる。
【００７６】
しかも、面圧分布センサ２４が静電容量型センサとされていることによって、胸骨圧迫によって及ぼされる圧力を精度よく検出することができる。
【００７７】
また、面圧分布センサ２４の圧迫検出領域４２が、成人の胸骨中部（胸骨体）の平均面積以上の面積を有しており、圧迫検出領域４２が胸骨圧迫の適正な圧迫領域３８よりも広い面積で設定されている。しかも、面圧分布センサ２４の圧迫検出領域４２が、適正な圧迫領域３８と、適正な圧迫領域３８の周囲においてその１．７倍以上の面積を有する検出可能領域４０とを備えている。それ故、適正な圧迫領域３８を圧迫しているか否かだけでなく、適正な圧迫領域３８を外れた位置を圧迫した場合にも、十分な面積を有する検出可能領域４０によって圧力を検出することができて、圧迫深さなどの各種パラメータを得ることができると共に、圧迫位置が適正な圧迫領域３８から外れている度合いを把握することもできる。
【００７８】
以上、本発明の実施形態について詳述してきたが、本発明はその具体的な記載によって限定されない。例えば、面圧分布センサの具体的な構造は適宜に変更可能であり、例えば電極および圧力検出部の数や形状などは特に限定されず、円形などのスポット的な形状の電極を採用することもできる。また、面圧分布センサは、静電容量型センサに限定されるものではなく、電気抵抗型などの他の検出方式を採用することもできる。さらに、面圧分布センサは、前記実施形態のような柔軟なシート状であることが望ましいが、例えば厚さが大きなものや硬質のセンサであっても、胸骨圧迫の訓練に支障がなければよい。
【００７９】
また、カバー体５４は、必ずしも胴部１４の前面の略全体を覆うように設けられるものが望ましいが、例えば、胴部１４の前面を部分的に覆うように設けられていてもよい。すなわち、胴部１４の開口１８を覆うように設けられていればよく、カバー体５４の周囲では胴部１４の表面が露出していてもよい。この場合には、例えば、露出する胴部１４の表面を、カバー体５４と同じ材料で被覆したり、カバー体５４と同色に着色するなどして、胴部１４の表面とカバー体５４との境界を視認され難くすることが望ましい。
【００８０】
前記実施形態では、弾性支持体として、ゴムや合成樹脂などの弾性体を例示したが、例えば、図７に示す胸骨圧迫訓練用人形７０のように、弾性支持体をコイルスプリング７２によって構成することもできる。これによれば、長期に亘る使用によっても、弾性支持体にへたり（劣化による上下寸法の変化やばねの変化など）が生じ難く、安定して検出精度を維持することができる。なお、図７では、面圧分布センサ２４の厚さ寸法が、図２と同様に大きく示されている。
【００８１】
また、前記実施形態では、面圧分布センサ２４が支持部材２２やカバー体５４に対して別体とされており、それら支持部材２２とカバー体５４の間に挟まれるように重ね合わされていたが、面圧分布センサを支持部材２２とカバー体５４の少なくとも一方に対して一体的に設けることもできる。すなわち、図８に示す胸骨圧迫訓練用人形８０では、面圧分布センサ２４を構成する第一の電極０１Ｘ〜０５Ｘが支持部材２２の上面に一体的に形成されていると共に、面圧分布センサ２４を構成する第二の電極０１Ｙ〜０５Ｙがカバー体５４の下面（図８中のカバー体５４は上下反転した状態で示されていることから、図８中の上側の面）に一体的に形成されている。そして、第一の電極０１Ｘ〜０５Ｘを備えた支持部材２２と、第二の電極０１Ｙ〜０５Ｙを備えたカバー体５４との間に、別体の誘電体層２６を挟んだ状態で、支持部材２２とカバー体５４を重ね合わせることにより、第一の電極Ｘと第二の電極Ｙが誘電体層２６を挟んで交差対向するように配されて、支持部材２２とカバー体５４に対して面圧分布センサ２４が一体的に構成される。このように、面圧分布センサ２４を支持部材２２およびカバー体５４と一体的に構成すれば、面圧分布センサ２４が支持部材２２およびカバー体５４に対して適切な位置からずれることがなく、面圧分布センサ２４と支持部材２２とカバー体５４とを相互に位置決めするための構造や工程が不要になる。
【００８２】
図８の実施形態では、面圧分布センサ２４が支持部材２２とカバー体５４との両方に対して一体的に設けられた構造について説明したが、例えば、面圧分布センサ２４を支持部材２２とカバー体５４との何れか一方に対して一体的に設けることもできる。
【００８３】
なお、図８に示すように、胸骨圧迫訓練用人形は、必ずしも頭部１２を備えるものに限定されず、胴部１４を備えていればよい。一方、腕部や下半身を備える胸骨圧迫訓練用人形に対しても、本発明は適用可能である。
【００８４】
また、前記実施形態では、表示装置としてのモニタ６４が、胸骨圧迫訓練用人形１０とは独立して設けられた例が示されているが、例えば、表示装置は、胸骨圧迫訓練用人形に組み込むこともできる。すなわち、胸骨圧迫訓練用人形の頭部や胴部、カバー体、支持部材などに表示装置としてのモニタを設けて、当該モニタに圧迫位置などの情報を表示するようにしてもよい。なお、前記実施形態においてコンピュータ５０で構成された演算装置を、胸骨圧迫訓練用人形１０に内蔵することもできる。また、表示装置や演算装置は、胸骨圧迫訓練用人形１０（面圧分布センサ２４やコントローラ４４など）に対して、有線で接続されていてもよいし、無線で接続されていてもよい。
【符号の説明】
【００８５】
１０，７０，８０：胸骨圧迫訓練用人形、１４：胴部、２０：弾性支持体、２２：支持部材、２４：面圧分布センサ、２６：誘電体層、３８：適正な圧迫領域、４０：検出可能領域、４２：圧迫検出領域、５２：両面テープ（位置決め手段）、５４：カバー体、６４：モニタ（表示装置）、７２：コイルスプリング（弾性支持体）、Ｘ：第一の電極（第一の電極層）、Ｙ：第二の電極（第二の電極層）
【図１】
2020075212.tif 000003
【図２】
2020075212.tif 000004
【図３】
2020075212.tif 000005
【図４】
2020075212.tif 000006
【図５】
2020075212.tif 000007
【図６】
2020075212.tif 000008
【図７】
2020075212.tif 000009
【図８】
2020075212.tif 000010
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
胸骨圧迫の訓練に際して訓練者による圧迫の対象となる胴部を備えた胸骨圧迫訓練用人形であって、
胸骨圧迫時に前記胴部に作用する圧力の分布を検出する面圧分布センサが、弾性支持体によって弾性支持されて該胴部の前胸部に配されていると共に、
人体の前胸部の表面を模したカバー体が該面圧分布センサの前胸部側の表面を覆って設けられており、且つ、
該面圧分布センサが、胸骨圧迫における適正な圧迫領域を備えていると共に、
該適正な圧迫領域を外れた周囲に該適正な圧迫領域の１．７倍以上の面積の検出可能領域を備えていることを特徴とする胸骨圧迫訓練用人形。
【請求項２】
前記面圧分布センサが可撓性のシート状とされている請求項１に記載の胸骨圧迫訓練用人形。
【請求項３】
前記面圧分布センサは、互いに交差対向方向に延びる複数の第一の電極層と複数の第二の電極層が誘電体層の表裏各一方の面に重ね合わされた構造を有しており、それら第一の電極層と第二の電極層の各交差対向部分における対向距離の変化に伴う静電容量の変化に基づいて圧力を検出する静電容量型センサとされている請求項２に記載の胸骨圧迫訓練用人形。
【請求項４】
前記面圧分布センサが成人の胸骨体下半分の平均面積以上の面積を有する圧迫検出領域を備えている請求項１〜３の何れか一項に記載の胸骨圧迫訓練用人形。
【請求項５】
前記カバー体が前記胴部の前胸部側の略全面を覆って設けられている請求項１〜４の何れか一項に記載の胸骨圧迫訓練用人形。
【請求項６】
前記弾性支持体と前記面圧分布センサの間には硬質の支持部材が配設されており、該面圧分布センサが該支持部材に重ね合わされて支持されている請求項１〜５の何れか一項に記載の胸骨圧迫訓練用人形。
【請求項７】
前記面圧分布センサが前記支持部材に一体的に設けられている請求項６に記載の胸骨圧迫訓練用人形。
【請求項８】
前記面圧分布センサが前記カバー体に一体的に設けられている請求項１〜７の何れか一項に記載の胸骨圧迫訓練用人形。
【請求項９】
前記面圧分布センサを前記胴部に対して面方向で位置決めする位置決め手段が設けられている請求項１〜８の何れか一項に記載の胸骨圧迫訓練用人形。
【請求項１０】
前記面圧分布センサの検出結果に基づく情報を表示する表示装置が接続されている請求項１〜９の何れか一項に記載の胸骨圧迫訓練用人形。
【請求項１１】
前記面圧分布センサと前記カバー体が接触状態で重ね合わされている請求項１〜１０の何れか一項に記載の胸骨圧迫訓練用人形。
【手続補正２】
【補正対象書類名】明細書
【補正対象項目名】全文
【補正方法】変更
【補正の内容】
【発明の詳細な説明】
【技術分野】
【０００１】
本発明は、胸骨圧迫によって胸部に作用する圧力の分布を検出する胸骨圧迫訓練用人形に関するものである。
【背景技術】
【０００２】
従来から、心停止時の救命処置の一つとして、胸骨圧迫による心肺蘇生術（ＣａｒｄｉｏＰｕｌｍｏｎａｒｙ  Ｒｅｓｕｓｃｉｔａｔｉｏｎ；ＣＰＲ）が知られている。胸骨圧迫による心肺蘇生術は、一般的に知られているように、救命者が、心停止した被救命者の胸部を断続的に圧迫して心臓の拍動を疑似的に生ぜしめる胸骨圧迫を行うことによって、血液の循環による脳などへの酸素供給を維持すると共に、心拍の再開を促すものである。
【０００３】
ところで、胸骨圧迫による心肺蘇生術では、圧迫時の胸部の押込み深さや単位時間当たりの圧迫回数、胸部圧迫の合間での十分な胸部解放（リコイル）、胸部圧迫時間の割合（デューティサイクル）などが適切であることが要求されることから、人体を模した胴部を備える胸骨圧迫訓練用人形によって、適切な胸骨圧迫の訓練を行うことが重要である。胸骨圧迫訓練用人形は、例えば、特開平８−１９０３４０号公報（特許文献１）に示された蘇生法教育人体モデルのように、人体の胸部に相当する胸板（９）がスプリング（１７）で弾性支持されており、胸骨圧迫によって胸板が背部側へ押し込まれるようになっている。さらに、胸板がロードセル（６）に接続されており、胸板に及ぼされた圧迫力の大きさがロードセルによって検出されるようになっている。
【０００４】
しかしながら、特許文献１の構造では、胸骨圧迫による胸板の押込み深さをロードセルによって検出できる一方、圧迫位置が適正であるかどうかは、ロードセルでは判定することができない。なお、特許文献１には、圧迫位置を判定するためのタクトスイッチ（２４）を設けた構造も開示されているが、圧迫位置が正しいか否かしか分からず、圧迫位置を特定することができないし、ロードセルとは別にタクトスイッチを設ける必要があることから、構造が複雑になってしまう。しかも、タクトスイッチを押圧する突部（９ｂ）が硬質の胸板に設けられていることから、圧迫位置の適否を精度よく判定することが難しく、適正な圧迫位置から外れた位置を圧迫した場合にも、タクトスイッチが押し込まれて、圧迫位置が適正であると判定されるおそれがあった。
【先行技術文献】
【特許文献】
【０００５】
【特許文献１】特開平８−１９０３４０号公報
【発明の概要】
【発明が解決しようとする課題】
【０００６】
本発明は、上述の事情を背景に為されたものであって、その解決課題は、胸骨圧迫の訓練に際して、圧迫位置を高度に検出することができる、新規な構造の胸骨圧迫訓練用人形を提供することにある。
【課題を解決するための手段】
【０００７】
本出願人は、特開２０１６−１２３８４４号公報において、胸骨圧迫の訓練において圧迫位置などを検出することができる心肺蘇生術補助装置を提案している。この心肺蘇生術補助装置によれば、柔軟な静電容量型の面圧分布センサの検出結果に基づいて、圧迫位置を精度よく検出することが可能とされている。ところで、上記心肺蘇生術補助装置は、心肺蘇生術を補助するという用途もあることから、例えば、胸部表面に重ね合わされた心肺蘇生術補助装置の感圧部を圧迫すれば、胸部における適正な領域を圧迫することができるようになっており、心肺蘇生術補助装置の位置自体が胸骨圧迫の適正な位置を指し示すようになっている。しかしながら、例えば、人体の構造から適切な圧迫位置を特定する技術の向上を目的とする訓練の場合には、圧迫位置を示すように胸部表面に露出して配される心肺蘇生術補助装置を使用すると、訓練の効果を効率的には得難いことが考えられた。
【０００８】
以下、このような課題を解決するために為された本発明の態様を記載する。なお、以下に記載の各態様において採用される構成要素は、可能な限り任意の組み合わせで採用可能である。
【０００９】
すなわち、本発明の第一の態様は、胸骨圧迫の訓練に際して訓練者による圧迫の対象となる胴部を備えた胸骨圧迫訓練用人形であって、胸骨圧迫時に前記胴部に作用する圧力の分布を検出する面圧分布センサが、弾性支持体によって弾性支持されて該胴部の前胸部に配されていると共に、人体の前胸部の表面を模したカバー体が該面圧分布センサの前胸部側の表面を覆って設けられており、且つ、該面圧分布センサが、胸骨圧迫における適正な圧迫領域を備えていると共に、該面圧分布センサが、胸骨圧迫における適正な圧迫領域を備えていると共に、該適正な圧迫領域を外れた周囲に該適正な圧迫領域の１．７倍以上の面積の検出可能領域を備えていることを、特徴とする。
【００１０】
このような第一の態様に従う構造とされた胸骨圧迫訓練用人形によれば、胸骨圧迫の深さやリズム、リコイル、デューティサイクル、圧迫位置などの各種パラメータを、面圧分布センサの検出結果に基づいて把握することができることから、胸骨圧迫の効率的な訓練が実現される。
【００１１】
さらに、面圧分布センサがカバー体によって覆われていると共に、カバー体の表面が人体の前胸部の表面を模していることから、訓練者が面圧分布センサの位置によって胸骨圧迫の正しい圧迫領域を把握するのを防いで、訓練者は人体の構造に基づいて胸骨圧迫の適正な領域を特定する訓練を有効に実施することができる。また、本態様によれば、圧迫位置が適正な圧迫領域にあるか否かだけでなく、適正な圧迫領域から外れた位置を圧迫した場合にも、十分な面積を有する検出可能領域によって圧力を検出することができる。従って、適正な圧迫領域から外れた位置を圧迫した場合にも、圧迫の深さなどの各種パラメータを得ることができると共に、圧迫位置が適正な圧迫領域から外れている程度（距離）を把握することもできる。
【００１２】
本発明の第二の態様は、第一の態様に記載された胸骨圧迫訓練用人形において、前記面圧分布センサが可撓性のシート状とされているものである。
【００１３】
第二の態様によれば、面圧分布センサがシート状とされていることで、狭いスペースに配設することができる。しかも、面圧分布センサが可撓性を有していることにより、例えば、面圧分布センサがカバー体の直下に配されていても、訓練者が面圧分布センサの有無による触感の違いを感じ取り難く、適正な胸骨圧迫の位置が面圧分布センサの配設位置によって特定されるのを、より効果的に防ぐことができる。
【００１４】
本発明の第三の態様は、第二の態様に記載された胸骨圧迫訓練用人形において、前記面圧分布センサは、互いに交差対向方向に延びる複数の第一の電極層と複数の第二の電極層が誘電体層の表裏各一方の面に重ね合わされた構造を有しており、それら第一の電極層と第二の電極層の各交差対向部分における対向距離の変化に伴う静電容量の変化に基づいて圧力を検出する静電容量型センサとされているものである。
【００１５】
第三の態様によれば、面圧分布センサが静電容量型センサとされていることによって、胸骨圧迫によって及ぼされる圧力を精度よく検出することができる。しかも、第一の電極層と第二の電極層の交差対向部分を、少ない電極層の数でより多く構成することができる。
【００１６】
【００１７】
【００１８】
本発明の第四の態様は、第一〜第三の何れか１つの態様に記載された胸骨圧迫訓練用人形において、前記面圧分布センサが成人の胸骨体下半分の平均面積以上の面積を有する圧迫検出領域を備えているものである。
【００１９】
第四の態様によれば、圧迫検出領域が胸骨圧迫の適正な圧迫領域よりも広い面積で設定されて、圧迫位置が適正な圧迫領域にあるか否かだけでなく、適正な圧迫領域を外れた位置を圧迫した場合にも、圧力を有効に検出することができる。従って、適正な圧迫領域から外れた位置を圧迫した場合にも、圧迫の深さなどの各種パラメータを得ることができると共に、圧迫位置が適正な圧迫領域から外れている程度（距離）を把握することもできる。
【００２０】
本発明の第五の態様は、第一〜第四の何れか１つの態様に記載された胸骨圧迫訓練用人形において、前記カバー体が前記胴部の前胸部側の略全面を覆って設けられているものである。
【００２１】
第五の態様によれば、例えば胴部の前胸部側の略全体が連続したカバー体で覆われることにより、適正な圧迫領域がカバー体の切れ目などによって特定されてしまうのを防ぐことができる。
【００２２】
本発明の第六の態様は、第一〜第五の何れか１つの態様に記載された胸骨圧迫訓練用人形において、前記弾性支持体と前記面圧分布センサの間には硬質の支持部材が配設されており、該面圧分布センサが該支持部材に重ね合わされて支持されているものである。
【００２３】
第六の態様によれば、面圧分布センサが硬質の支持部材に重ね合わされていることにより、面圧分布センサによる圧力の検出精度の向上が図られる。また、胸骨圧迫に際して、支持部材が人体の胸郭の前部を模すように機能することから、実際の人体に胸骨圧迫を行う場合に近い手応えを訓練者に与えることができる。
【００２４】
本発明の第七の態様は、第六の態様に記載された胸骨圧迫訓練用人形において、前記面圧分布センサが前記支持部材に一体的に設けられているものである。
【００２５】
第七の態様によれば、面圧分布センサが支持部材に対して位置決めされた状態で形成されることから、接着などの特別な位置決め構造が不要になる。しかも、面圧分布センサを硬質の支持部材と一体の部品として取り扱うことができることから、面圧分布センサの管理や取り回しが容易になると共に、胴部への組付け作業も簡単になる。
【００２６】
本発明の第八の態様は、第一〜第七の何れか１つの態様に記載された胸骨圧迫訓練用人形において、前記面圧分布センサが前記カバー体に一体的に設けられているものである。
【００２７】
第八の態様によれば、面圧分布センサがカバー体に対して位置決めされた状態で形成されることから、接着などの特別な位置決め構造が不要になる。しかも、面圧分布センサをカバー体と一体の部品として取り扱うことができることから、面圧分布センサの管理や取り回しが容易になると共に、胴部への組付け作業も簡単になる。
【００２８】
本発明の第九の態様は、第一〜第八の何れか１つの態様に記載された胸骨圧迫訓練用人形において、前記面圧分布センサを前記胴部に対して面方向で位置決めする位置決め手段が設けられているものである。
【００２９】
第九の態様によれば、面圧分布センサが胴部に対して正しい位置に保持することができる。
【００３０】
本発明の第十の態様は、第一〜第九の何れか１つの態様に記載された胸骨圧迫訓練用人形において、前記面圧分布センサの検出結果に基づく情報を表示する表示装置が接続されているものである。
【００３１】
第十の態様によれば、面圧分布センサの検出結果に基づく訓練結果を、訓練後に或いはリアルタイムで訓練者などに分かり易く把握させることができる。
【００３２】
本発明の第十一の態様は、第一〜第十の何れか１つの態様に記載された胸骨圧迫訓練用人形において、前記面圧分布センサと前記カバー体が接触状態で重ね合わされているものである。
【００３３】
第十一の態様によれば、面圧分布センサとカバー体が間に空間を介することなく接していることにより、胸骨圧迫に際して圧力の検出精度の向上が図られて、特に圧迫深さが小さい場合にも圧迫を有効に検出することができる。
【発明の効果】
【００３４】
本発明によれば、胸骨圧迫の訓練に際して、圧迫の深さなどだけでなく、圧迫位置を高度に検出することができる。
【図面の簡単な説明】
【００３５】
【図１】本発明の第一の実施形態としての胸骨圧迫訓練用人形を示す平面図。
【図２】図１のＩＩ−ＩＩ断面図。
【図３】図１の胸骨圧迫訓練用人形においてカバー体を外した状態を示す平面図。
【図４】図１に示す胸骨圧迫訓練用人形を構成する面圧分布センサの平面図。
【図５】図４のＶ−Ｖ断面図。
【図６】図１に示す胸骨圧迫訓練用人形を使用した訓練における面圧分布および圧力の作用中心位置の表示の一例を示す図。
【図７】本発明の別の一実施形態として胸骨圧迫訓練用人形を示す断面図。
【図８】本発明のまた別の一実施形態として胸骨圧迫訓練用人形を示す分解斜視図。
【発明を実施するための形態】
【００３６】
以下、本発明の実施形態について、図面を参照しつつ説明する。
【００３７】
図１，２には、本発明の第一の実施形態としての胸骨圧迫訓練用人形１０（以下、訓練用人形１０）が示されている。訓練用人形１０は、胸骨圧迫による心肺蘇生術の訓練において用いられるものであって、全体として人体の腕部を除いた上半身を模しており、頭部１２と胴部１４を備えている。以下の説明において、上下方向とは、原則として図２中の上下方向を言う。
【００３８】
より詳細には、胴部１４は、訓練用人形１０において訓練者による圧迫の対象となる部分であって、硬質の合成樹脂や金属などで形成されて、図２，３に示すように、内部に収容空間１６を備えた中空構造とされていると共に、前胸部側となる上側（図２中の上側）に形成された開口１８を通じて収容空間１６が外部に開放されている。なお、本実施形態では、胴部１４の前面（上面）が略平面とされているが、例えば、人体の胴部前面の形状により近づくように、全体として上方に向けて凸となる凸形湾曲形状の断面を有する湾曲面とすることもできる。
【００３９】
また、胴部１４の収容空間１６には、弾性支持体２０が配設されている。弾性支持体２０は、ゴムや合成樹脂の発泡体とされて、上下方向に弾性変形可能とされており、本実施形態では、例えば、発泡ウレタンや発泡ポリエチレンなどで形成されている。なお、弾性支持体２０は、下面が胴部１４の背側の内面に接触状態で重ね合わされていると共に、上部が胴部１４の開口１８から上方へ突出している。
【００４０】
また、弾性支持体２０の上面には、支持部材２２が重ね合わされている。支持部材２２は、硬質の合成樹脂などで形成された板状の部材であって、本実施形態では平板状とされているが、例えば、人体の肋骨を模した凹凸が形成されていてもよい。そして、支持部材２２と胴部１４の背側を構成する下部との間に弾性支持体２０が配されており、支持部材２２が弾性支持体２０を介して胴部１４によって支持されている。これにより、支持部材２２は、弾性支持体２０の弾性変形によって胴部１４に対する上下方向の相対変位を許容されている。なお、支持部材２２は、全体が胴部１４の上側の開口１８によって外部に露出している。
【００４１】
また、支持部材２２の上面には、面圧分布センサ２４が重ね合わされている。面圧分布センサ２４は、可撓性を有する薄肉シート状とされており、図４，５に示すように、誘電体層２６の一方の面に第一の電極層シート２８が重ね合わされていると共に、誘電体層２６の他方の面に第二の電極層シート３０が重ね合わされた構造を、有している。なお、図２，５では、見易さのために、面圧分布センサ２４の厚さを誇張して厚く示す。
【００４２】
誘電体層２６は、ゴムや樹脂などの電気絶縁性のエラストマーで形成されて、弾性乃至は可撓性を有するシートとされていると共に、伸縮変形可能とされて、特に厚さ方向で容易に変形可能とされている。誘電体層２６の形成材料としては、例えば、シリコーンゴム、アクリロニトリル−ブタジエン共重合ゴム、アクリルゴム、エピクロロヒドリンゴム、クロロスルホン化ポリエチレン、塩素化ポリエチレン、ウレタンゴム、ポリエチレン樹脂、ポリプロピレン樹脂、ポリウレタン樹脂、ポリスチレン樹脂、ポリ塩化ビニル−ポリ塩化ビニリデン共重合体、エチレン−酢酸共重合体などが、好適に採用される。さらに、誘電体層２６は発泡体であっても良く、必要な誘電率と柔軟性が確保されれば、その発泡体は、必ずしも独立気泡によって均質な相を呈するものに限定されず、例えば連続気泡が形成されるなどして不均一な相を呈していても良い。なお、誘電体層２６の厚さや形成材料などは、後述する圧力検出部３６において求められる比誘電率や柔軟性に応じて適宜に設定される。
【００４３】
一方、第一の電極層シート２８には、図４中の上下方向に延びる第一の電極層としての第一の電極Ｘが設けられていると共に、第二の電極層シート３０には、図４中の左右方向に延びる第二の電極層としての第二の電極Ｙが設けられている。第一の電極Ｘと第二の電極Ｙは、それぞれ薄肉の長手帯状とされて、互いに略直交方向に延びるように設けられている。本実施形態では、２５本の第一の電極Ｘが、ｘ軸（図４中の左右方向に延びる座標軸）の長さ方向に並んで互いに平行に配されていることから、それら第一の電極Ｘを図４中の左側から順に０１Ｘ〜２５Ｘと称する。同様に、本実施形態では、２８本の第二の電極Ｙが、ｙ軸（図４中の上下方向に延びる座標軸）の長さ方向に並んで互いに平行に配されていることから、それら第二の電極Ｙを図４中の上側から順に０１Ｙ〜２８Ｙと称する。
【００４４】
さらに、第一の電極Ｘと第二の電極Ｙは、例えば、ゴムや樹脂などのエラストマーに導電性フィラー（例えばカーボンブラックや銀粉などの金属粉）を添加した柔軟な導電性エラストマーによって形成されて、容易に変形可能とされている。なお、第一の電極Ｘと第二の電極Ｙの形成材料であるエラストマーとしては、例えば、シリコーンゴム、エチレン−プロピレン共重合ゴム、天然ゴム、スチレン−ブタジエン共重合ゴム、アクリロニトリル−ブタジエン共重合ゴム、アクリルゴム、エピクロロヒドリンゴム、クロロスルホン化ポリエチレン、塩素化ポリエチレン、ウレタンゴム、ポリエステル樹脂、ポリエーテルウレタン樹脂、ポリカーボネートウレタン樹脂、塩化ビニル−酢酸ビニル共重合体、フェノール樹脂、アクリル樹脂、ポリアミドイミド樹脂、ポリアミド樹脂、ニトロセルロース、変性セルロース類などが、好適に採用される。
【００４５】
なお、第一，第二の電極層シート２８，３０は、例えば、第一の電極０１Ｘ〜２５Ｘと第二の電極０１Ｙ〜２８Ｙと同様のエラストマーによって形成される。本実施形態の第一，第二の電極層シート２８，３０は、面圧分布センサ２４の構造を理解し易くするために、透明乃至は半透明とされており、誘電体層２６と第一の電極０１Ｘ〜２５Ｘと第二の電極０１Ｙ〜２８Ｙとが図示されているが、第一，第二の電極層シート２８，３０は、必ずしも透明乃至は半透明に限定されない。
【００４６】
また、第一，第二の電極層シート２８，３０は、第一，第二の電極Ｘ，Ｙの配設領域よりも外側まで広がっており、第一，第二の電極層シート２８，３０の第一，第二の電極Ｘ，Ｙよりも外側には、第一の配線３２と第二の配線３４が導電性材料によって形成されている。そして、第一の配線３２が第一の電極Ｘと一体的に連続して、第一の電極Ｘと第一の配線３２が電気的につながっていると共に、第二の配線３４が第二の電極Ｙと一体的に連続して、第二の電極Ｙと第二の配線３４が電気的につながっている。なお、第一，第二の電極Ｘ，Ｙと第一，第二の配線３２，３４は、例えば、第一，第二の電極層シート２８，３０の表面に導電性インクによってプリントされた配線パターンとして得ることができる。また、第一の配線３２は、２５本が設けられて、第一の電極０１Ｘ〜２５Ｘの各一つにつながっていると共に、第二の配線３４は、２８本が設けられて、第二の電極０１Ｙ〜２８Ｙの各一つにつながっている。
【００４７】
そして、第一の電極層シート２８が誘電体層２６の一方の面に重ね合わされることにより、第一の電極０１Ｘ〜２５Ｘが誘電体層２６と第一の電極層シート２８の間に配されて、誘電体層２６の一方の面に第一の電極０１Ｘ〜２５Ｘが重ね合わされている。一方、第二の電極層シート３０が誘電体層２６の他方の面に重ね合わされることにより、第二の電極０１Ｙ〜２８Ｙが誘電体層２６と第二の電極層シート３０の間に配されており、誘電体層２６の他方の面に第二の電極０１Ｙ〜２８Ｙが重ね合わされている。なお、第一，第二の電極層シート２８，３０は、第一の電極０１Ｘ〜２５Ｘと第二の電極０１Ｙ〜２８Ｙの配設領域および後述する第一，第二の配線３２，３４の形成領域を外れた外周部分において、溶着や接着、両面テープによる固定などによって相互に固定されている。
【００４８】
これにより、第一の電極０１Ｘ〜２５Ｘと第二の電極０１Ｙ〜２８Ｙは、誘電体層２６を挟んで相互に略直交するように交差対向して配されており、第一の電極０１Ｘ〜２５Ｘと第二の電極０１Ｙ〜２８Ｙの交差対向部分には、それぞれコンデンサが構成されている。このコンデンサによって圧力検出部３６が構成されて、圧力検出部３６の静電容量の変化に基づいて、圧力検出部３６への作用圧力を検出することが可能とされている。すなわち、圧力検出部３６に対して下向き（図５中の下向き）の圧力が作用すると、圧力が作用した圧力検出部３６において、誘電体層２６が圧縮変形して、圧力検出部３６を構成する第一の電極Ｘと第二の電極Ｙとの対向間距離が短くなるので、当該圧力検出部３６において静電容量が変化する。この各圧力検出部３６における静電容量の変化を、電気的な制御装置からなるコントローラ４４（後述）を用いて検知することで、各圧力検出部３６に及ぼされた圧力を検出することが可能とされている。
【００４９】
したがって、第一の電極０１Ｘ〜２５Ｘと第二の電極０１Ｙ〜２８Ｙの７００個の交差対向部分（圧力検出部３６）が、それぞれ静電容量型の圧力検出素子（セル）として機能しており、それら７００個の圧力検出部３６が２次元的に並んで配されることにより、面圧分布を検出する静電容量型の面圧分布センサ２４が構成されている。なお、図４では、分かり易さのために、圧力検出部３６に斜線のハッチングを付した。
【００５０】
また、７００個の圧力検出部３６が配された感圧部の面積は、人の掌における胸部圧迫部分の平均的な面積以上とされている。すなわち、人の掌における実質的な胸部圧迫部分である母指球（親指の付け根部分にある掌の盛り上がり）の平均的な面積（例えば９００ｍｍ2 程度）以上とされており、より好適には、人の掌における手根部分の平均的な面積以上とされている。これにより、圧迫位置のずれに十分に対応することができる。なお、より好適には、人の掌全体の平均的な面積以上とされることによって、掌の適当な部分で押圧できているかを確認することも可能となる。
【００５１】
本実施形態では、図３中において太い実線で囲んで示した領域が適正な圧迫領域３８とされており、適正な圧迫領域３８に４２個の圧力検出部３６が配されて、適正な圧迫領域３８の面積が略９００ｍｍ2 とされている。また、適正な圧迫領域３８の周囲には、適正な圧迫領域３８に該当しない領域の圧力検出部３６で構成された検出可能領域４０が広がっており、この検出可能領域４０の面積が、好適には、適正な圧迫領域３８の面積の１．７倍以上、より好適には３倍以上とされている。これにより、本実施形態では、適正な圧迫領域３８と検出可能領域４０を合わせた圧迫検出領域４２が、人の掌全体の平均的な面積以上とされていると共に、成人の胸骨中部（胸骨体）の下半分の平均面積以上とされている。なお、成人の胸骨体下半分の平均面積は、特定の条件に基づいて設定される成人の集合における胸骨体下半分の平均面積であって、例えば、身長、体重、年齢、性別、人種などの少なくとも１つの条件で特定される成人の集合について、胸骨体下半分の平均面積を測定して或いは体格などから類推して求めることができる。また、適正な圧迫領域３８は、ＣＰＲのガイドラインなどに基づいて訓練用人形１０の前胸部における適当な位置に設定される。一般的には、例えば、後述する剣状突起５８に対して指２本分よりも更に上側など、前胸部の中央部分に設定される。
【００５２】
また、第二の電極層シート３０に絶縁体層を重ね合わせて、検出結果に悪影響を及ぼすノイズを低減することもできる。この絶縁体層は、例えば、可撓性および伸縮性に加えて電気絶縁性を有する軟質の合成樹脂やゴム弾性体などで形成されて、シート状乃至は板状とされており、接地されたノイズガード電極を備えていることが望ましい。これによれば、訓練者の手の導電性が面圧分布センサ２４の検出結果に及ぼす影響を低減することができる。なお、ノイズガード電極を設ける場合には、第二の電極層シート３０との重ね合わせ間に電気絶縁性のスペーサー層を設けることが望ましい。これにより、第二の電極層シート３０とノイズガード電極の距離を十分に大きく設定して、第二の電極層シート３０とノイズガード電極を電極とするコンデンサの静電容量が検出結果に及ぼす影響を低減することができる。
【００５３】
また、第一の電極Ｘに接続された第一の配線３２と第二の電極Ｙに接続された第二の配線３４は、コントローラ４４と電気的に接続されている。コントローラ４４は、例えば、図３に示すように、作動電圧給電用の電源回路４６と、静電容量検知用の検出回路４８とを備えており、コンピュータ５０に接続されている。電源回路４６は、第一の電極０１Ｘ〜２５Ｘと第二の電極０１Ｙ〜２８Ｙに対する給電を選択的に行うようになっており、コンピュータ５０の図示しない中央演算装置（ＣＰＵ）による制御下で、コンデンサを構成する７００箇所の各交差部分に対して、計測用電圧として周期的な波形電圧を走査的に印加する。
【００５４】
そして、かかる電圧作用下で検出される静電容量の検出信号が、順次に検出回路４８で検出され、その検出値がコンピュータ５０の図示しないＲＡＭ（Ｒａｎｄｏｍ  Ａｃｃｅｓｓ  Ｍｅｍｏｒｙ）に記憶される。なお、検出回路４８による静電容量の検出は、例えば電流値から求められるインピーダンスを用いて静電容量値を求めることによって行われる。
【００５５】
また、コンピュータ５０の図示しないＲＯＭ（Ｒｅａｄ  Ｏｎｌｙ  Ｍｅｍｏｒｙ）には、第一の電極０１Ｘ〜２５Ｘと第二の電極０１Ｙ〜２８Ｙとの各交差対向部分（圧力検出部３６）に構成されるコンデンサの特性データが記憶されており、この特性データに基づいて、各圧力検出部３６に及ぼされた外力である圧迫力が、コンピュータ５０のＣＰＵによって静電容量の検出値に基づいて算出される。従って、７００個の圧力検出部３６における静電容量をそれぞれスキャンすることにより、各圧力検出部３６に作用する圧力が各別に検出可能とされていると共に、全体として二次元的な圧力分布が検出可能とされている。
【００５６】
なお、好適には、第一，第二の配線３２，３４がコントローラ４４に対して着脱可能に接続されていると共に、コントローラ４４がコンピュータ５０に対して着脱可能に接続されている。
【００５７】
かくの如き構造とされた面圧分布センサ２４は、支持部材２２の上面を覆うように重ね合わされて、支持部材２２に及ぼされる圧力を検出するようになっている。すなわち、図３に示すように、面圧分布センサ２４は、支持部材２２の上面の略全体を覆うように設けられており、本実施形態では、第二の電極２７Ｙ，２８Ｙを含んで構成された圧力検出部３６を除く６５０個の圧力検出部３６が、何れも支持部材２２上に配されている。このように、面圧分布センサ２４が支持部材２２の上面に重ね合わされることにより、面圧分布センサ２４は、弾性支持体２０によって間接的に支持されて、訓練用人形１０の前胸部に相当する位置に保持されている。換言すれば、支持部材２２は、弾性支持体２０と面圧分布センサ２４の間に配されており、面圧分布センサ２４が支持部材２２に重ね合わされて支持されている。なお、図２に示すように、面圧分布センサ２４は、第二の配線３４が形成された第二の電極層シート３０の右端部分が、下方へ折り曲げられている。
【００５８】
また、本実施形態では、面圧分布センサ２４が支持部材２２に対して両面テープ５２（図２参照）で固定されるなどして位置決めされており、これによって面圧分布センサ２４を胴部１４に対して面方向（図２における上下方向に対して直交する方向）で位置決めする位置決め手段が構成されている。このような位置決め手段を設けることにより、面圧分布センサ２４が胴部１４に対して正しい位置に保持されて、面圧分布センサ２４における適正な圧迫領域３８を、胴部１４の前胸部における適切な位置に配置することができる。なお、位置決め手段は、両面テープ５２による固定に限定されるものではなく、例えば、接着や機械的な係止、結束バンドによる固定など、各種の固定手段を採用することができる。
【００５９】
本実施形態では、上述のように、第二の電極２７Ｙ，２８Ｙを含んで構成された５０個の圧力検出部３６は、少なくとも一部が支持部材２２の上面から外れた位置に配されており、圧迫時に圧力が有効に作用する圧迫検出領域４２を構成しない。尤も、例えば、全ての圧力検出部３６が支持部材２２の上に配されて圧迫検出領域４２を構成するようにしてもよいし、より少ない圧力検出部３６だけが支持部材２２の上に配されて、圧迫検出領域４２がより少ない圧力検出部３６で構成されるようにしてもよい。
【００６０】
さらに、面圧分布センサ２４に接続されたコントローラ４４は、訓練用人形１０の収容空間１６に収容されており、上下方向の投影において支持部材２２から外れた位置に配されている。本実施形態では、訓練用人形１０の胴部１４において、頭部１２と反対側の端部に収容されている。尤も、コントローラ４４は、面圧分布センサ２４と接続されていれば、訓練用人形１０の外部に配されていてもよい。
【００６１】
また、面圧分布センサ２４が支持部材２２に重ね合わされた状態で、訓練用人形１０の胴部１４にカバー体５４が装着される。カバー体５４は、シート状とされており、可撓性と弾性を有するゴムや合成樹脂などのエラストマーで形成されている。さらに、より具体的には、カバー体５４の上面には、例えば、凹凸や印刷などによって、人体の前胸部の表面を模した表示が設けられており、本実施形態では、肋骨弓５６や剣状突起５８、鎖骨６０などが印刷されており、それら肋骨弓５６や剣状突起５８、鎖骨６０の位置に基づいて、訓練用人形１０の胸部において胸骨圧迫の適正な位置を特定することが可能とされている。なお、カバー体５４の上面に表示される前胸部表面の構造としては、上記した肋骨弓５６や剣状突起５８、鎖骨６０の他、乳頭なども採用され得る。
【００６２】
そして、カバー体５４は、外周端部に設けられた図示しない挿通孔に対して、胴部１４の側面に設けられた係止ピン６２が挿通されて、係止ピン６２の頭部が挿通孔の周縁部でカバー体５４に係止されることにより、胴部１４の前胸部側の表面（上面）を覆うように取り付けられる。これにより、図１，２に示すように、胴部１４に取り付けられた支持部材２２と面圧分布センサ２４の前胸部側がカバー体５４によって覆われて、外部から見えなくなっており、それら支持部材２２と面圧分布センサ２４の位置が外部から目視で特定されないようになっている。
【００６３】
特に本実施形態のカバー体５４は、胴部１４の前胸部側を略全体に亘って覆う構造とされていることから、カバー体５４の位置から支持部材２２と面圧分布センサ２４の配設位置を特定されることがなく、目視による支持部材２２と面圧分布センサ２４の配設位置の特定がより困難になっている。
【００６４】
さらに、胴部１４に装着されたカバー体５４は、面圧分布センサ２４に対して、上下方向で接触して配されており、特に、圧力検出部３６が配された感圧部が略全体に亘ってカバー体５４に接触状態で重ね合わされている。これにより、本実施形態の訓練用人形１０は、カバー体５４と面圧分布センサ２４と支持部材２２と弾性支持体２０と胴部１４の背部とが、間に空間を有することなく重なり合って配されている。
【００６５】
かくの如き構造とされた訓練用人形１０は、床やストレッチャーなどに図２中の上下方向が鉛直上下方向となる向きで設置された状態で使用されて、訓練者が訓練用人形１０に施す胸骨圧迫に対して、面圧分布センサ２４によって圧力を測定する。
【００６６】
また、訓練者が支持部材２２と面圧分布センサ２４を下向きに圧迫すると、支持部材２２と胴部１４の背部との間に配された弾性支持体２０が上下方向で圧縮されて、支持部材２２と面圧分布センサ２４が下方へ押し込まれる。これにより、訓練者は、弾性支持体２０の弾性に基づく抵抗（反発）を感じて、実際の人体に胸骨圧迫を施した場合に近い手応えを得ることができる。特に、面圧分布センサ２４が重ね合わされる硬質の支持部材２２が採用されていることにより、支持部材２２が人体の胸郭の前部を模すように機能して、弾性支持体２０の弾性変形に伴って上下に変位することから、人体への胸骨圧迫に近い手応えを訓練者に与えることができて、実際の救命蘇生法により近い訓練を実施することができる。
【００６７】
さらに、面圧分布センサ２４は、誘電体層２６が支持部材２２と訓練者の手との間で上下方向に圧縮されることから、誘電体層２６が圧縮された部分において第一の電極Ｘと第二の電極Ｙが上下方向で相互に接近する。これにより、第一の電極Ｘと第二の電極Ｙが接近した圧力検出部３６では、第一の電極Ｘと第二の電極Ｙの接近による静電容量の変化が生ぜしめられる。その結果、訓練者の胸骨圧迫によって訓練用人形１０に及ぼされた圧力の大きさと位置が、面圧分布センサ２４によって検出される。本実施形態の面圧分布センサ２４は、弾性支持体２０に直接的に支持されているのではなく、硬質の支持部材２２を介して支持されていることから、弾性支持体２０の局所的な変形による面圧分布センサ２４の曲げなどが生じ難く、入力に応じた静電容量の変化が安定して生ぜしめられる。
【００６８】
この面圧分布センサ２４の検出結果に基づいて、演算装置であるコンピュータ５０が、胸骨圧迫時の押込み深さ、リコイル時の押込み深さ、圧力の作用中心位置、胸骨圧迫のリズム、１サイクルにおける圧迫時間の割合（ｄｕｔｙ  ｃｙｃｌｅ）などを算出する。
【００６９】
そして、算出された上記の各データを表示装置としてのコンピュータ５０のモニタ６４に表示することにより、訓練者や訓練指導者などが、訓練の状況や効果などを、モニタ６４を見ることで把握することができる。これにより、面圧分布センサ２４の検出結果に基づく訓練結果を、訓練後に或いは訓練中にリアルタイムで、訓練者や訓練指導者などに分かり易く把握させることができる。なお、コンピュータ５０のモニタ６４に表示されるデータは、特に限定されるものではなく、上記の例示したデータの全て或いは一部を表示してもよいし、上記以外のデータを表示してもよい。具体的には、図６に示すように、圧力分布を色彩の違いで表示すると共に、圧力の作用中心位置を円などによって座標平面上に直接的に表示することも可能であるが、例えば、圧力の作用中心位置が適切であったか否かだけを文字や記号などで表示することも可能である。なお、図６では、正方形が横に２５個且つ縦に２８個並んで表示されており、それら正方形が面圧分布センサ２４における圧力検出部３６の各一つに対応している。また、図６の表示では、圧力分布は、圧力が大きくなるに従って赤に近い色彩で示されていると共に、圧力が小さくなるに従って青に近い色彩で示されており、圧力の作用中心位置を示す円よりも図中下側および左側において圧力が大きく作用している。
【００７０】
ここにおいて、訓練用人形１０では、胴部１４の前面がカバー体５４によって覆われていることから、訓練者が面圧分布センサ２４の配設位置を見ることで、胸骨圧迫の適正な位置が訓練者に把握されてしまうことを防止できる。それ故、訓練者は、胸骨圧迫を施す位置をカバー体５４の表面に設けられた人体の構造、即ち本実施形態では肋骨弓５６と剣状突起５８と鎖骨６０の各位置に基づいて特定する必要があり、実際の胸骨圧迫による蘇生法に即した訓練を行うことで、訓練効果の向上が図られる。特に、本実施形態では、カバー体５４が胴部１４の前面を略全体に亘って覆うように設けられていることから、訓練者がカバー体５４の位置によって胸骨圧迫の適正な位置を特定するのを防ぐこともできる。
【００７１】
また、胸骨圧迫によって及ぼされる圧力を検出するセンサが、面圧分布センサ２４とされている。これにより、胸骨圧迫によって及ぼされる圧力の大きさだけでなく、面圧分布や圧力の作用中心位置など、胸骨圧迫が施された位置も特定可能とされている。このような面圧分布センサ２４をカバー体５４と組み合わせて採用することにより、訓練者がカバー体５４に描かれた胸部前面の構造に基づいて特定した胸骨圧迫の位置が、適正な胸骨圧迫の位置に対して、一致しているか否か、どの程度ずれているか、どの方向にずれているかなどを、それぞれ把握することが可能とされている。従って、訓練用人形１０を用いて胸骨圧迫の訓練を行うことにより、人体の胸部前面の構造に基づいて胸骨圧迫の適正な位置を特定する技能の効率的な向上が図られる。
【００７２】
さらに、面圧分布センサ２４を採用することにより、圧迫位置と圧迫力の大きさを、１つのセンサによって検出することが可能とされており、それぞれ別のセンサを設ける場合に比して、構造の簡略化などが図られる。
【００７３】
なお、本実施形態では、面圧分布センサ２４とそれを支持する支持部材２２が、胴部１４における前胸部の略全体と腹部の一部とを構成する広い領域に設けられている。それ故、胸骨圧迫に対する知識が不十分な訓練者が、適正な位置から大きく外れた位置を圧迫した場合にも、圧力を有効に測定することができる。
【００７４】
また、カバー体５４は、支持部材２２上に位置する面圧分布センサ２４の圧迫検出領域４２の略全体に対して、空間を介することなく接した状態で重ね合わされていることから、カバー体５４の表面に入力された圧迫力が面圧分布センサ２４に効率的に伝達される。その結果、胸骨圧迫に際して圧力の検出精度の向上が図られて、特に圧迫深さが小さい場合にも圧迫を有効に検出することができる。
【００７５】
さらに、面圧分布センサ２４が可撓性の薄肉シート状とされていることから、狭いスペースに配設することができると共に、面圧分布センサ２４がカバー体５４に当接状態で重ね合わされていても、訓練者が面圧分布センサ２４の有無による触感の違いを感じ取り難く、適正な胸骨圧迫の位置が面圧分布センサ２４の配設位置によって特定されるのを、より効果的に防ぐことができる。
【００７６】
しかも、面圧分布センサ２４が静電容量型センサとされていることによって、胸骨圧迫によって及ぼされる圧力を精度よく検出することができる。
【００７７】
また、面圧分布センサ２４の圧迫検出領域４２が、成人の胸骨中部（胸骨体）の平均面積以上の面積を有しており、圧迫検出領域４２が胸骨圧迫の適正な圧迫領域３８よりも広い面積で設定されている。しかも、面圧分布センサ２４の圧迫検出領域４２が、適正な圧迫領域３８と、適正な圧迫領域３８の周囲においてその１．７倍以上の面積を有する検出可能領域４０とを備えている。それ故、適正な圧迫領域３８を圧迫しているか否かだけでなく、適正な圧迫領域３８を外れた位置を圧迫した場合にも、十分な面積を有する検出可能領域４０によって圧力を検出することができて、圧迫深さなどの各種パラメータを得ることができると共に、圧迫位置が適正な圧迫領域３８から外れている度合いを把握することもできる。
【００７８】
以上、本発明の実施形態について詳述してきたが、本発明はその具体的な記載によって限定されない。例えば、面圧分布センサの具体的な構造は適宜に変更可能であり、例えば電極および圧力検出部の数や形状などは特に限定されず、円形などのスポット的な形状の電極を採用することもできる。また、面圧分布センサは、静電容量型センサに限定されるものではなく、電気抵抗型などの他の検出方式を採用することもできる。さらに、面圧分布センサは、前記実施形態のような柔軟なシート状であることが望ましいが、例えば厚さが大きなものや硬質のセンサであっても、胸骨圧迫の訓練に支障がなければよい。
【００７９】
また、カバー体５４は、必ずしも胴部１４の前面の略全体を覆うように設けられるものが望ましいが、例えば、胴部１４の前面を部分的に覆うように設けられていてもよい。すなわち、胴部１４の開口１８を覆うように設けられていればよく、カバー体５４の周囲では胴部１４の表面が露出していてもよい。この場合には、例えば、露出する胴部１４の表面を、カバー体５４と同じ材料で被覆したり、カバー体５４と同色に着色するなどして、胴部１４の表面とカバー体５４との境界を視認され難くすることが望ましい。
【００８０】
前記実施形態では、弾性支持体として、ゴムや合成樹脂などの弾性体を例示したが、例えば、図７に示す胸骨圧迫訓練用人形７０のように、弾性支持体をコイルスプリング７２によって構成することもできる。これによれば、長期に亘る使用によっても、弾性支持体にへたり（劣化による上下寸法の変化やばねの変化など）が生じ難く、安定して検出精度を維持することができる。なお、図７では、面圧分布センサ２４の厚さ寸法が、図２と同様に大きく示されている。
【００８１】
また、前記実施形態では、面圧分布センサ２４が支持部材２２やカバー体５４に対して別体とされており、それら支持部材２２とカバー体５４の間に挟まれるように重ね合わされていたが、面圧分布センサを支持部材２２とカバー体５４の少なくとも一方に対して一体的に設けることもできる。すなわち、図８に示す胸骨圧迫訓練用人形８０では、面圧分布センサ２４を構成する第一の電極０１Ｘ〜０５Ｘが支持部材２２の上面に一体的に形成されていると共に、面圧分布センサ２４を構成する第二の電極０１Ｙ〜０５Ｙがカバー体５４の下面（図８中のカバー体５４は上下反転した状態で示されていることから、図８中の上側の面）に一体的に形成されている。そして、第一の電極０１Ｘ〜０５Ｘを備えた支持部材２２と、第二の電極０１Ｙ〜０５Ｙを備えたカバー体５４との間に、別体の誘電体層２６を挟んだ状態で、支持部材２２とカバー体５４を重ね合わせることにより、第一の電極Ｘと第二の電極Ｙが誘電体層２６を挟んで交差対向するように配されて、支持部材２２とカバー体５４に対して面圧分布センサ２４が一体的に構成される。このように、面圧分布センサ２４を支持部材２２およびカバー体５４と一体的に構成すれば、面圧分布センサ２４が支持部材２２およびカバー体５４に対して適切な位置からずれることがなく、面圧分布センサ２４と支持部材２２とカバー体５４とを相互に位置決めするための構造や工程が不要になる。
【００８２】
図８の実施形態では、面圧分布センサ２４が支持部材２２とカバー体５４との両方に対して一体的に設けられた構造について説明したが、例えば、面圧分布センサ２４を支持部材２２とカバー体５４との何れか一方に対して一体的に設けることもできる。
【００８３】
なお、図８に示すように、胸骨圧迫訓練用人形は、必ずしも頭部１２を備えるものに限定されず、胴部１４を備えていればよい。一方、腕部や下半身を備える胸骨圧迫訓練用人形に対しても、本発明は適用可能である。
【００８４】
また、前記実施形態では、表示装置としてのモニタ６４が、胸骨圧迫訓練用人形１０とは独立して設けられた例が示されているが、例えば、表示装置は、胸骨圧迫訓練用人形に組み込むこともできる。すなわち、胸骨圧迫訓練用人形の頭部や胴部、カバー体、支持部材などに表示装置としてのモニタを設けて、当該モニタに圧迫位置などの情報を表示するようにしてもよい。なお、前記実施形態においてコンピュータ５０で構成された演算装置を、胸骨圧迫訓練用人形１０に内蔵することもできる。また、表示装置や演算装置は、胸骨圧迫訓練用人形１０（面圧分布センサ２４やコントローラ４４など）に対して、有線で接続されていてもよいし、無線で接続されていてもよい。
また、本発明はもともと以下に記載の発明を含むものであり、その構成および作用効果に関して、付記しておく。
（ｉ）  胸骨圧迫の訓練に際して訓練者による圧迫の対象となる胴部を備えた胸骨圧迫訓練用人形であって、胸骨圧迫時に前記胴部に作用する圧力の分布を検出する面圧分布センサが、弾性支持体によって弾性支持されて該胴部の前胸部に配されていると共に、人体の前胸部の表面を模したカバー体が該面圧分布センサの前胸部側の表面を覆って設けられていることを特徴とする胸骨圧迫訓練用人形、
（ｉｉ）  前記面圧分布センサが可撓性のシート状とされている（ｉ）に記載の胸骨圧迫訓練用人形、
（ｉｉｉ）  前記面圧分布センサは、互いに交差対向方向に延びる複数の第一の電極層と複数の第二の電極層が誘電体層の表裏各一方の面に重ね合わされた構造を有しており、それら第一の電極層と第二の電極層の各交差対向部分における対向距離の変化に伴う静電容量の変化に基づいて圧力を検出する静電容量型センサとされている（ｉｉ）に記載の胸骨圧迫訓練用人形、
（ｉｖ）  前記面圧分布センサが適正な圧迫領域を備えていると共に、該適正な圧迫領域の周囲に１．７倍以上の面積の検出可能領域を備えている（ｉｉ）又は（ｉｉｉ）に記載の胸骨圧迫訓練用人形、
（ｖ）  前記面圧分布センサが成人の胸骨体下半分の平均面積以上の面積を有する圧迫検出領域を備えている（ｉｉ）〜（ｉｖ）の何れか一項に記載の胸骨圧迫訓練用人形、
（ｖｉ）  前記カバー体が前記胴部の前胸部側の略全面を覆って設けられている（ｉ）〜（ｖ）の何れか一項に記載の胸骨圧迫訓練用人形、
（ｖｉｉ）  前記弾性支持体と前記面圧分布センサの間には硬質の支持部材が配設されており、該面圧分布センサが該支持部材に重ね合わされて支持されている（ｉ）〜（ｖｉ）の何れか一項に記載の胸骨圧迫訓練用人形、
（ｖｉｉｉ）  前記面圧分布センサが前記支持部材に一体的に設けられている（ｖｉｉ）に記載の胸骨圧迫訓練用人形、
（ｉｘ）  前記面圧分布センサが前記カバー体に一体的に設けられている（ｉ）〜（ｖｉｉｉ）の何れか一項に記載の胸骨圧迫訓練用人形、
（ｘ）  前記面圧分布センサを前記胴部に対して面方向で位置決めする位置決め手段が設けられている（ｉ）〜（ｉｘ）の何れか一項に記載の胸骨圧迫訓練用人形、
（ｘｉ）  前記面圧分布センサの検出結果に基づく情報を表示する表示装置が接続されている（ｉ）〜（ｘ）の何れか一項に記載の胸骨圧迫訓練用人形、
（ｘｉｉ）  前記面圧分布センサと前記カバー体が接触状態で重ね合わされている（ｉ）〜（ｘｉ）の何れか一項に記載の胸骨圧迫訓練用人形、
に関する発明を含む。
上記（ｉ）に記載の発明では、胸骨圧迫の深さやリズム、リコイル、デューティサイクル、圧迫位置などの各種パラメータを、面圧分布センサの検出結果に基づいて把握することができることから、胸骨圧迫の効率的な訓練が実現される。さらに、面圧分布センサがカバー体によって覆われていると共に、カバー体の表面が人体の前胸部の表面を模していることから、訓練者が面圧分布センサの位置によって胸骨圧迫の正しい圧迫領域を把握するのを防いで、訓練者は人体の構造に基づいて胸骨圧迫の適正な領域を特定する訓練を有効に実施することができる。
上記（ｉｉ）に記載の発明では、面圧分布センサがシート状とされていることで、狭いスペースに配設することができる。しかも、面圧分布センサが可撓性を有していることにより、例えば、面圧分布センサがカバー体の直下に配されていても、訓練者が面圧分布センサの有無による触感の違いを感じ取り難く、適正な胸骨圧迫の位置が面圧分布センサの配設位置によって特定されるのを、より効果的に防ぐことができる。
上記（ｉｉｉ）に記載の発明では、面圧分布センサが静電容量型センサとされていることによって、胸骨圧迫によって及ぼされる圧力を精度よく検出することができる。しかも、第一の電極層と第二の電極層の交差対向部分を、少ない電極層の数でより多く構成することができる。
上記（ｉｖ）に記載の発明では、圧迫位置が適正な圧迫領域にあるか否かだけでなく、適正な圧迫領域から外れた位置を圧迫した場合にも、十分な面積を有する検出可能領域によって圧力を検出することができる。従って、適正な圧迫領域から外れた位置を圧迫した場合にも、圧迫の深さなどの各種パラメータを得ることができると共に、圧迫位置が適正な圧迫領域から外れている程度（距離）を把握することもできる。
上記（ｖ）に記載の発明では、圧迫検出領域が胸骨圧迫の適正な圧迫領域よりも広い面積で設定されて、圧迫位置が適正な圧迫領域にあるか否かだけでなく、適正な圧迫領域を外れた位置を圧迫した場合にも、圧力を有効に検出することができる。従って、適正な圧迫領域から外れた位置を圧迫した場合にも、圧迫の深さなどの各種パラメータを得ることができると共に、圧迫位置が適正な圧迫領域から外れている程度（距離）を把握することもできる。
上記（ｖｉ）に記載の発明では、例えば胴部の前胸部側の略全体が連続したカバー体で覆われることにより、適正な圧迫領域がカバー体の切れ目などによって特定されてしまうのを防ぐことができる。
上記（ｖｉｉ）に記載の発明では、面圧分布センサが硬質の支持部材に重ね合わされていることにより、面圧分布センサによる圧力の検出精度の向上が図られる。また、胸骨圧迫に際して、支持部材が人体の胸郭の前部を模すように機能することから、実際の人体に胸骨圧迫を行う場合に近い手応えを訓練者に与えることができる。
上記（ｖｉｉｉ）に記載の発明では、面圧分布センサが支持部材に対して位置決めされた状態で形成されることから、接着などの特別な位置決め構造が不要になる。しかも、面圧分布センサを硬質の支持部材と一体の部品として取り扱うことができることから、面圧分布センサの管理や取り回しが容易になると共に、胴部への組付け作業も簡単になる。
上記（ｉｘ）に記載の発明では、面圧分布センサがカバー体に対して位置決めされた状態で形成されることから、接着などの特別な位置決め構造が不要になる。しかも、面圧分布センサをカバー体と一体の部品として取り扱うことができることから、面圧分布センサの管理や取り回しが容易になると共に、胴部への組付け作業も簡単になる。
上記（ｘ）に記載の発明では、面圧分布センサが胴部に対して正しい位置に保持することができる。
上記（ｘｉ）に記載の発明では、面圧分布センサの検出結果に基づく訓練結果を、訓練後に或いはリアルタイムで訓練者などに分かり易く把握させることができる。
上記（ｘｉｉ）に記載の発明では、面圧分布センサとカバー体が間に空間を介することなく接していることにより、胸骨圧迫に際して圧力の検出精度の向上が図られて、特に圧迫深さが小さい場合にも圧迫を有効に検出することができる。
【符号の説明】
【００８５】
１０，７０，８０：胸骨圧迫訓練用人形、１４：胴部、２０：弾性支持体、２２：支持部材、２４：面圧分布センサ、２６：誘電体層、３８：適正な圧迫領域、４０：検出可能領域、４２：圧迫検出領域、５２：両面テープ（位置決め手段）、５４：カバー体、６４：モニタ（表示装置）、７２：コイルスプリング（弾性支持体）、Ｘ：第一の電極（第一の電極層）、Ｙ：第二の電極（第二の電極層）
【国際調査報告】
2020075212.tif 000011
2020075212.tif 000012
2020075212.tif 000013
2020075212.tif 000014